(57)【特許請求の範囲】
【請求項１】
複数の誘電体層を積層した積層体からなり、不平衡端子と該不平衡端子に対応する第１平衡端子および第２平衡端子とフィルタ回路とが前記積層体の内層電極および外部電極によって形成された積層型フィルタであって、
前記第１平衡端子と前記第２平衡端子との間には、キャパシタが接続されており、
該キャパシタは、前記第１平衡端子を形成する端子電極に導通する第１内層平板電極を一方の対向電極とし、グランドに接続しない第１浮き電極を他方の対向電極とする第１キャパシタと、前記第２平衡端子を形成する端子電極に導通する第２内層平板電極を一方の対向電極とし、グランドに接続しない第２浮き電極を他方の対向電極とする第２キャパシタと、から構成され、前記第１キャパシタと前記第２キャパシタとが直列接続された構成からなり、
前記第１内層平板電極および前記第１浮き電極からなる第１電極群と、前記第２内層平板電極および前記第２浮き電極からなる第２電極群とは、異なる誘電体層に形成され、
前記第１電極群と前記第２電極群とが、前記積層体を積層方向に沿って見て、少なくともの部分的に重なり合うように、形成されている、積層型フィルタ。
【請求項２】
請求項１に記載の積層型フィルタであって、
前記第１キャパシタと前記第２キャパシタとが異なる容量となるように、前記第１内層平板電極、前記第２内層平板電極、前記第１浮き電極、および前記第２浮き電極の形状と誘電体層の厚みが決定されている、積層型フィルタ。
【請求項３】
請求項１に記載の積層型フィルタであって、
前記第１キャパシタと前記第２キャパシタとが同じ容量となるように、前記第１内層平板電極、前記第２内層平板電極、前記第１浮き電極、および前記第２浮き電極の形状と誘電体層の厚みが決定されている、積層型フィルタ。
【請求項４】
請求項１乃至請求項３のいずれか一項に記載の積層型フィルタであって、
前記不平衡端子を形成する端子電極とグランド電極との間には、不平衡側インダクタ電極が接続されるとともに、不平衡側キャパシタを構成する電極対が接続され、
前記第１平衡端子を形成する端子電極と、前記第２平衡端子を形成する端子電極との間には、３つ以上の奇数個の平衡側インダクタ電極が直列に接続され、
前記奇数個の平衡側インダクタ電極における配列順の中央の平衡側インダクタ電極と、前記不平衡側インダクタ電極とは、電磁界結合する位置に形成されており、
前記奇数個の平衡側インダクタ電極は、前記積層体の積層方向から見て巻き方向が同じヘリカル状のコイルを含んで形成されている、積層型フィルタ。
【請求項５】
複数の誘電体層を積層した積層体からなり、不平衡端子と該不平衡端子に対応する第１平衡端子および第２平衡端子とフィルタ回路とが前記積層体の内層電極および外部電極によって形成された積層型フィルタであって、
前記第１平衡端子と前記第２平衡端子との間には、キャパシタが接続されており、
該キャパシタは、前記第１平衡端子を形成する端子電極に導通する第１内層平板電極を一方の対向電極とし、グランドに接続しない第１浮き電極を他方の対向電極とする第１キャパシタと、前記第２平衡端子を形成する端子電極に導通する第２内層平板電極を一方の対向電極とし、グランドに接続しない第２浮き電極を他方の対向電極とする第２キャパシタと、から構成され、前記第１キャパシタと前記第２キャパシタとが直列接続された構成からなり、
前記不平衡端子を形成する端子電極とグランド電極との間には、不平衡側インダクタ電極が接続されるとともに、不平衡側キャパシタを構成する電極対が接続され、
前記第１平衡端子を形成する端子電極と、前記第２平衡端子を形成する端子電極との間には、３つ以上の奇数個の平衡側インダクタ電極が直列に接続され、
前記奇数個の平衡側インダクタ電極における配列順の中央の平衡側インダクタ電極と、前記不平衡側インダクタ電極とは、電磁界結合する位置に形成されており、
前記奇数個の平衡側インダクタ電極は、前記積層体の積層方向から見て巻き方向が同じヘリカル状のコイルを含んで形成されている、積層型フィルタ。
【請求項６】
請求項５に記載の積層型フィルタであって、
前記第１浮き電極と前記第２浮き電極とが単一の共通浮き電極で形成されている、積層型フィルタ。
【請求項７】
請求項５または請求項６に記載の積層型フィルタであって、
前記第１キャパシタと前記第２キャパシタとが異なる容量となるように、前記第１内層平板電極、前記第２内層平板電極、前記第１浮き電極、および前記第２浮き電極の形状と誘電体層の厚みが決定されている、積層型フィルタ。
【請求項８】
請求項５または請求項６に記載の積層型フィルタであって、
前記第１キャパシタと前記第２キャパシタとが同じ容量となるように、前記第１内層平板電極、前記第２内層平板電極、前記第１浮き電極、および前記第２浮き電極の形状と誘電体層の厚みが決定されている、積層型フィルタ。
【発明の詳細な説明】
【技術分野】
【０００１】
本発明は、それぞれに所定の電極パターンが形成された複数の誘電体層を積層してなる積層型フィルタ、特に、平衡出力端子を有する積層型フィルタに関する。
【背景技術】
【０００２】
従来、それぞれに所定の電極パターンが形成された複数の誘電体層を積層して、所定の回路機能を実現する積層型の回路素子が各種考案されている。その一種として、フィルタ機能を実現する積層型フィルタがあり、さらに、特許文献１に示すように、不平衡平衡変換機能を有する積層型フィルタ（以下では、「積層型バランスフィルタ」と称する。）がある。
【先行技術文献】
【特許文献】
【０００３】
【特許文献１】特開２００６−２２９４６４号公報
【発明の概要】
【発明が解決しようとする課題】
【０００４】
特許文献１に記載のように、従来の積層型バランスフィルタでは、対となる二つの平衡出力端子がともに、キャパシタを介してグランドへ接続されている。
【０００５】
しかしながら、このような積層型バランスフィルタをマザー基板に実装する際に、マザー基板でのグランド配線パターンの仕様や、積層型バランスフィルタをマザー基板に実装する実装状態（実装電極毎の半田量の違い等）により、信号の位相基準が所望の値からずれる場合がある。これにより、二つの平衡端子間で安定したバランス特性を得ることが難しくなる場合がある。
【０００６】
この発明の目的は、安定したバランス特性が得られる積層型フィルタを実現することにある。
【課題を解決するための手段】
【０００７】
この発明は、複数の誘電体層を積層した積層体からなる積層型フィルタに関する。この積層型フィルタは、該積層体の内層電極および外部電極により、不平衡端子と該不平衡端子に対応する第１平衡端子および第２平衡端子とフィルタ回路とが形成されている。
【０００８】
このような構成の上で、本発明の積層型フィルタは、第１平衡端子と前記第２平衡端子との間に、キャパシタが接続されている。このキャパシタは、第１キャパシタと第２キャパシタとの直列接続により形成される。第１キャパシタは、第１平衡端子を形成する端子電極に導通する第１内層平板電極を一方の対向電極とし、グランドに接続しない第１浮き電極を他方の対向電極とする。第２キャパシタは、第２平衡端子を形成する端子電極に導通する第２内層平板電極を一方の対向電極とし、グランドに接続しない第２浮き電極を他方の対向電極とする。
【０００９】
この構成では、第１平衡端子と第２平衡端子との間に、第１キャパシタと第２キャパシタとの直列回路のみで接続される。この際、第１キャパシタと第２キャパシタとの直列回路がグランドへ接続しておらず、第１キャパシタと第２キャパシタの接続点が所謂フローティンググランドになる。これにより、平衡端子間のバランス特性は、外部のグランド配線パターンや実装状態による影響を受けない。
【００１０】
また、この発明の積層型フィルタでは、第１浮き電極と第２浮き電極とが単一の共通浮き電極で形成されている。
【００１１】
この構成では、上述の第１キャパシタと第２キャパシタとの具体的構造を示している。そして、この構造では、共通浮き電極が上記フローティンググランドとなるので、積層体の内層電極の形成ばらつきの影響を抑制でき、安定したバランス特性をより実現しやすい。
【００１２】
また、この発明の積層型フィルタでは、第１内層平板電極および第１浮き電極からなる第１電極群と、第２内層平板電極および第２浮き電極からなる第２電極群とは、異なる誘電体層に形成されている。そして、第１電極群と第２電極群とは、積層体を積層方向に沿って見て、少なくともの部分的に重なり合うように、形成されている。
【００１３】
この構成では、積層方向に沿ってならぶように第１コンデンサと第２コンデンサとが形成されるので、同じ誘電体層に第１コンデンサと第２コンデンサとを形成する場合と比較して、同じキャパシタの容量を得るための積層体の形状を、平面視した状態で小さくすることができる。
【００１４】
また、この発明の積層型フィルタでは、第１キャパシタと第２キャパシタとが異なる容量となるように、第１内層平板電極、第２内層平板電極、第１浮き電極、および第２浮き電極の形状と誘電体層の厚みが決定されている。
【００１５】
また、この発明の積層型フィルタでは、第１キャパシタと第２キャパシタとが同じ容量となるように、第１内層平板電極、第２内層平板電極、第１浮き電極、および第２浮き電極の形状と誘電体層の厚みが決定されている。
【００１６】
この構成では、第１平衡端子と第２平衡端子と間に接続するキャパシタが第１、第２キャパシタの直列回路から構成され、第１キャパシタと第２キャパシタとの容量を適宜設定できることを示している。このような設定ができることで、第１平衡端子と第２平衡端子との間の位相バランスを適宜設定することができ、且つ安定したバランス特性が得られる。
【００１７】
また、この発明の積層型フィルタでは、不平衡端子を形成する端子電極とグランド電極との間には、不平衡側インダクタ電極が接続されるとともに、不平衡側キャパシタを構成する電極対が接続される。この積層型フィルタは、第１平衡端子を形成する端子電極と、第２平衡端子を形成する端子電極との間には、３つ以上の奇数個の平衡側インダクタ電極が直列に接続される。この積層型フィルタは、奇数個の平衡側インダクタ電極における配列順の中央の平衡側インダクタ電極と不平衡側インダクタ電極とが、電磁界結合する位置に形成されている。この積層型フィルタでは、奇数個の平衡側インダクタ電極は、積層方向から見て巻き方向が同じヘリカル状のコイルを含んで形成されている。
【００１８】
この構成では、積層型フィルタのより具体的な構造を示している。そして、このような構成とすることで、上述の安定したバランス特性とともに、挿入損失が小さく、平衡側のインピーダンス調整が容易な積層型フィルタを実現することができる。
【発明の効果】
【００１９】
この発明によれば、不平衡平衡変換機能を備える積層型フィルタにおける平衡端子側のバランス特性を安定化することができる。
【図面の簡単な説明】
【００２０】
【図１】第１の実施形態に係る積層型フィルタ１０の回路図である。
【図２】第１の実施形態に係る積層型フィルタ１０の外観斜視図である。
【図３】第１の実施形態に係る積層型フィルタ１０の分解斜視図である。
【図４】第２の実施形態に係る積層型フィルタ１０Ａの回路図である。
【図５】第２の実施形態に係る積層型フィルタ１０Ａの分解斜視図である。
【図６】第３の実施形態に係る積層型フィルタ１０Ｂの外観斜視図である。
【図７】第３の実施形態に係る積層型フィルタ１０Ｂの分解斜視図である。
【図８】第４の実施形態に係る積層型フィルタ１０Ｃの回路図である。
【図９】第４の実施形態に係る積層型フィルタ１０Ｃの外観斜視図である。
【図１０】第４の実施形態に係る積層型フィルタ１０Ｃの分解斜視図である。
【図１１】第５の実施形態に係る積層型フィルタ１０Ｄの回路図である。
【図１２】第５の実施形態に係る積層型フィルタ１０Ｄの外観斜視図である。
【図１３】第５の実施形態に係る積層型フィルタ１０Ｄの分解斜視図である。
【図１４】第６の実施形態に係る積層型フィルタ１０Ｅの回路図である。
【図１５】第６の実施形態に係る積層型フィルタ１０Ｅの外観斜視図である。
【図１６】第６の実施形態に係る積層型フィルタ１０Ｅの分解斜視図である。
【図１７】第７の実施形態に係る積層型フィルタ１０Ｆの回路図である。
【図１８】第７の実施形態に係る積層型フィルタ１０Ｆの外観斜視図である。
【図１９】第７の実施形態に係る積層型フィルタ１０Ｆの分解斜視図である。
【図２０】第８の実施形態に係る積層型フィルタ１０Ｇの回路図である。
【図２１】第８の実施形態に係る積層型フィルタ１０Ｇの分解斜視図である。
【図２２】第９の実施形態に係る積層型フィルタ１０Ｈの外観斜視図である。
【図２３】第９の実施形態に係る積層型フィルタ１０Ｈの分解斜視図である。
【発明を実施するための形態】
【００２１】
本発明の第１の実施形態に係る積層型フィルタについて、図を参照して説明する。
＜回路説明＞
まず、積層型フィルタ１０の回路構成について説明する。図１は本実施形態に係る積層型フィルタ１０の回路図である。
【００２２】
積層型フィルタ１０は、不平衡型信号を入出力する不平衡端子Ｐｕｎｂと、平衡型信号を入出力する第１平衡端子Ｐｂ１および第２平衡端子Ｐｂ２を備える。
【００２３】
不平衡端子Ｐｕｎｂとグランドとの間には、不平衡側キャパシタＣ１と不平衡側インダクタＬ１との並列共振回路が接続されている。
【００２４】
第１平衡端子Ｐｂ１と第２平衡端子Ｐｂ２との間には、三個の平衡側インダクタＬ３，Ｌ２，Ｌ４が直列接続されている。この際、平衡側インダクタＬ３，Ｌ２，Ｌ４は、第１平衡端子Ｐｂ１側から、平衡側インダクタＬ３，Ｌ２，Ｌ４の順で接続されている。これら平衡側インダクタＬ３，Ｌ２，Ｌ４は、後述するように、巻き方向が同じとなるヘリカル状のコイルによって実現される。なお、本実施形態では、三個の平衡側インダクタを用いたが、一個を除く奇数であれば、平衡側インダクタ数は他の数であってもよい。
【００２５】
また、平衡側インダクタＬ２は、不平衡側インダクタＬ１と電磁界結合するように、配置されている。この構成より、平衡側インダクタＬ２と不平衡側インダクタＬ１との間には相互インダクタＭが作用する。
【００２６】
また、第１平衡端子Ｐｂ１と第２平衡端子Ｐｂ２との間には、第１平衡側キャパシタＣ２と第２平衡側キャパシタＣ３との直列回路が接続されている。この際、第１平衡側キャパシタＣ２と第２平衡側キャパシタＣ３とは、第１平衡端子Ｐｂ１側から、第１平衡側キャパシタＣ２、第２平衡側キャパシタＣ３の順で接続されている。
【００２７】
このような構成の積層型フィルタ１０では、不平衡端子Ｐｕｎｂから不平衡型信号が入力されると、不平衡平衡変換され、第１平衡端子Ｐｂ１および第２平衡端子Ｐｂ２から所定の位相の平衡型信号が出力される。さらに、不平衡側インダクタＬ１と不平衡側キャパシタＣ１との共振回路により、フィルタ通過帯域の中心周波数が設計される。これにより、不平衡平衡変換機能付きのフィルタが構成される。
【００２８】
また、平衡側インダクタＬ３，Ｌ４及び第１、第２平衡側キャパシタＣ２，Ｃ３を所望の素子値に設定することで、平衡型信号の出力インピーダンスを所望値に設定することができる。また、平衡側インダクタＬ３，Ｌ２，Ｌ４の巻き方向を同じにすることで、損失を低下させ、挿入損失の小さいフィルタを構成することができる。
【００２９】
さらに、第１平衡側キャパシタＣ２、第２平衡側キャパシタＣ３を所望の素子値に設定することで、第１平衡端子Ｐｂ１および第２平衡端子Ｐｂ２から出力される平衡型信号の位相バランスを所望値に設計することができる。
【００３０】
＜構造説明＞
次に、上述の回路構成からなる積層型フィルタ１０の構造について説明する。図２は本実施形態に係る積層型フィルタ１０の外観斜視図である。図３は本実施形態に係る積層型フィルタ１０の分解斜視図である。
【００３１】
積層型フィルタ１０は、７層の誘電体層１０１−１０７を順次積層した積層体１００によって実現される。
【００３２】
積層体１００は、図２に示すように、外形形状が略直方体形状からなる。積層体１００の第１側面には、不平衡端子用の外部電極（以下、不平衡端子Ｐｕｎｂと称する。）、グランド電極（以下、グランド端子ＧＮＤと称する。）、および第１平衡端子用の外部電極（以下、第１平衡端子Ｐｂ１と称する。）が、この順で配列形成されている。前記第１側面に対向する積層体１００の第２側面には、二個のグランド端子ＧＮＤと、第２平衡端子用の外部電極（以下、第２平衡端子Ｐｂ２と称する。）が、この順で配列形成されている。この際、第１平衡端子Ｐｂ１と第２平衡端子Ｐｂ２とが対向するように配置されている。
【００３３】
積層型フィルタ１０の外部端子となる、これら不平衡端子Ｐｕｎｂ、第１平衡端子Ｐｂ１、第２平衡端子Ｐｂ２、およびグランド端子ＧＮＤは、積層方向に延びる形状からなり、積層体１００を構成する全ての誘電体層１０１−１０７に亘る電極パターンで形成されている。なお、以下の各誘電体層の説明では、内層電極との接続関係を除き、これら外部端子の形成位置および形状の説明は省略する。
【００３４】
次に、各誘電体層１０１−１０７の電極形成パターンについて、具体的に説明する。なお、積層体１００は最上層を誘電体層１０１として、下層に向かうほど符番が大きくなり、最下層を誘電体層１０７として説明する。
【００３５】
積層体１００の最上層となる誘電体層１０１には、上記外部端子の電極パターンのみが形成されている。なお、図示しないが、誘電体層１０１の天面、すなわち積層体１００の天面に、実装方向を定義するためのマーキング電極が形成されている。
【００３６】
誘電体層１０２には、コイル電極２０１が形成されている。コイル電極２０１の一方端は第１側面の第１平衡端子Ｐｂ１に接続されている。コイル電極２０１は平面視して、当該一方端を始点として、巻回形に形成されている。コイル電極２０１の他方端は導電性のビア電極ＶＨ２３を介して、誘電体層１０３のコイル電極３０１の一方端に接続されている。このコイル電極２０１により、平衡側インダクタＬ３が構成される。
【００３７】
誘電体層１０３には、コイル電極３０１が形成されている。コイル電極３０１の一方端は、上述のようにビア電極ＶＨ２３を介してコイル電極２０１の他方端に接続されている。
【００３８】
コイル電極３０１は、当該一方端を始点として巻回形に形成されている。この際、コイル電極３０１は、積層体１００を平面視してコイル電極２０１と巻回方向が一致するように形成されている。コイル電極３０１の他方端は導電性のビア電極ＶＨ３４を介して、誘電体層１０４のコイル電極４０１の一方端に接続されている。このコイル電極３０１により、平衡側インダクタＬ２が構成される。
【００３９】
誘電体層１０４には、コイル電極４０１、コイル電極４０２が形成されている。コイル電極４０１の一方端は、上述のようにビア電極ＶＨ３４を介してコイル電極３０１の他方端に接続されている。
【００４０】
コイル電極４０１は、当該一方端を始点として巻回形に形成されている。この際、コイル電極４０１は、積層体１００を平面視してコイル電極２０１，３０１と巻回方向が一致するように形成されている。コイル電極４０１の他方端は、第２側面の第２平衡端子Ｐｂ２に接続されている。このコイル電極４０１により、平衡側インダクタＬ４が構成される。
【００４１】
コイル電極４０２は、一方端が第２側面の中央のグランド端子ＧＮＤに接続されている。コイル電極４０２は、当該一方端を始点として巻回形に形成されている。この際、コイル電極４０２は、積層体１００を平面視してコイル電極２０１と巻回方向が逆になるように形成されている。コイル電極４０２の他方端は、導電性のビア電極ＶＨ４５を介して誘電体層１０５の平板電極５０１に接続されている。このコイル電極４０２により、不平衡側インダクタＬ１が構成される。
【００４２】
なお、コイル電極４０２は、コイル電極３０１に対して電磁界結合するように、積層体を平面視してコイル電極３０１と少なくとも一部が重なる位置に形成されている。これにより、平衡側インダクタＬ２と不平衡側インダクタＬ１とによる相互インダクタＭが実現される。
【００４３】
誘電体層１０５には、平面視して略四角形の平板電極５０１が形成されている。平板電極５０１は、第１側面の不平衡端子Ｐｕｎｂに接続されるとともに、上述のようにビア電極ＶＨ４５を介してコイル電極４０２に接続されている。この平板電極５０１は、不平衡側キャパシタＣ１の一方の対向電極に相当する。
【００４４】
誘電体層１０６には、平面視して略四角形の平板電極６０１，６０２が形成されている。平板電極６０２は、誘電体層１０５の平板電極５０１と積層方向に沿って対向するように、形成されている。この構成により、平板電極６０２が不平衡側キャパシタＣ１の他方の対向電極となり、平板電極５０１，６０２と誘電体層１０５とにより、不平衡側キャパシタＣ１が構成される。
【００４５】
平板電極６０２は、第１側面のグランド端子ＧＮＤおよび第２側面の中央のグランド端子ＧＮＤに接続されている。これにより、不平衡側キャパシタＣ１と不平衡側インダクタＬ１との共振回路が構成される。
【００４６】
平板電極６０１は、グランド端子ＧＮＤを含む外部端子のいずれにも接続しない浮き電極からなる。
【００４７】
誘電体層１０７には、平面視して略四角形の平板電極７０１，７０２が形成されている。平板電極７０１は、誘電体層１０６の平板電極６０１と積層方向に沿って対向するように、形成されている。この構成により、平板電極６０１，７０１間に誘電体層１０６が介在した第１平衡側キャパシタＣ２が構成される。平板電極７０１は、第１側面の第１平衡端子Ｐｂ１に接続されている。
【００４８】
また、平板電極７０２は、誘電体層１０６の平板電極６０１と積層方向に沿って対向するように、形成されている。この構成により、平板電極６０１，７０２間に誘電体層１０６が介在した第２平衡側キャパシタＣ３が構成される。平板電極７０２は、第２側面の第２平衡端子Ｐｂ２に接続されている。
【００４９】
以上のような構成により、図１の回路構成からなる積層型フィルタ１０を、積層体１００を用いて実現することができる。
【００５０】
そして、上述のように、第１平衡側キャパシタＣ２および第２平衡側キャパシタＣ３を構成する対向電極の一方を、グランド端子ＧＮＤに接続されていない内層の平板電極６０１で実現することで、平衡端子間での位相バランスは、マザー基板のグランド配線パターンや実装状態の影響を受けない。これにより、安定した位相バランスの積層型フィルタを実現することができる。
【００５１】
また、第１平衡側キャパシタＣ２および第２平衡側キャパシタＣ３を構成する対向電極の一方を共通化することで、第１平衡側キャパシタＣ２と第２平衡側キャパシタＣ３との間の配線パターンを省略できる。これにより、より安定した位相バランスを実現できるとともに、小型化も可能になる。
【００５２】
次に、第２の実施形態に係る積層型フィルタについて、図を参照して説明する。図４は本実施形態の積層型フィルタ１０Ａの回路図である。図４に示すように、本実施形態の積層型フィルタ１０Ａは、第１の実施形態に示した積層型フィルタ１０に対して、回路構成としては、平衡側インダクタＬ２の所定点がグランドに接続された点で異なる。また、本実施形態の積層型フィルタ１０Ａの外部端子構成は、第１の実施形態に示した積層型フィルタ１０と同じである。したがって、回路構成および外部端子構成の説明は省略する。
【００５３】
図５は、本実施形態に係る積層型フィルタ１０Ａの分解斜視図である。積層型フィルタ１０Ａは、８層の誘電体層１０１−１０８を順次積層してなる。最上層である誘電体層１０１については、第１の実施形態の積層型フィルタ１０の場合と同じ構造である。
【００５４】
誘電体層１０２には、コイル電極２０１Ａ，２０２Ａが形成されている。コイル電極２０１Ａは一方端が第１側面の第１平衡端子Ｐｂ１に接続されている。コイル電極２０１Ａは、平面視して、当該一方端を始点として、巻回形に形成されている。コイル電極２０１Ａの他方端は導電性のビア電極ＶＨ２３を介して、誘電体層１０３のコイル電極３０１Ａの一方端に接続されている。このコイル電極２０１Ａにより、平衡側インダクタＬ３が構成される。
【００５５】
コイル電極２０２Ａは、一方端が第１側面の不平衡端子Ｐｕｎｂに接続されている。コイル電極２０２Ａは、平面視して、当該一方端を始点として、巻回形に形成されている。コイル電極２０２Ａの他方端は導電性のビア電極ＶＨ２４を介して、誘電体層１０４のコイル電極４０２Ａの一方端に接続されている。
【００５６】
コイル電極２０２Ａは、誘電体層１０３のコイル電極３０１Ａと電磁界結合するように、積層体を平面視してコイル電極３０１Ａと少なくとも一部が重なる位置に形成されている。
【００５７】
誘電体層１０３には、コイル電極３０１Ａが形成されている。コイル電極３０１Ａの一方端は、上述のようにビア電極ＶＨ２３を介してコイル電極２０１Ａの他方端に接続されている。
【００５８】
コイル電極３０１Ａは、当該一方端を始点として略全面に亘るように巻回形に形成されている。コイル電極３０１Ａの他方端は導電性のビア電極ＶＨ３４を介して、誘電体層１０４のコイル電極４０１Ａの一方端に接続されている。このコイル電極３０１Ａにより、平衡側インダクタＬ２が構成される。
【００５９】
また、コイル電極３０１Ａは、巻回形の所定位置から第２側面の端のグランド端子ＧＮＤに接続されている。これにより、平衡側インダクタＬ２の所定点がグランド接続される。このように、平衡側インダクタＬ２を接地させることにより、平衡側信号の位相バランスがより安定する。
【００６０】
誘電体層１０４には、コイル電極４０１Ａ，４０２Ａが形成されている。コイル電極４０１Ａの一方端は、上述のようにビア電極ＶＨ３４を介してコイル電極３０１Ａの他方端に接続されている。
【００６１】
コイル電極４０１Ａは、当該一方端を始点として巻回形に形成されている。この際、コイル電極４０１Ａは、積層体１００を平面視してコイル電極２０１Ａと巻回方向が一致するように形成されている。コイル電極４０１Ａの他方端は、第２側面の第２平衡端子Ｐｂ２に接続されている。このコイル電極４０１Ａにより、平衡側インダクタＬ４が構成される。
【００６２】
コイル電極４０２Ａの一方端は、上述のようにビア電極ＶＨ２４を介してコイル電極２０２Ａの他方端に接続されている。コイル電極４０２Ａは、当該一方端を始点として巻回形に形成されている。この際、コイル電極４０２Ａは、積層体を平面視してコイル電極２０２Ａと巻回方向が一致するように形成されている。コイル電極４０２Ａの他方端は、第２側面の中央のグランド端子ＧＮＤに接続されている。これらコイル電極２０２Ａ、ビア電極ＶＨ２４、およびコイル電極４０２Ａによって、不平衡側インダクタＬ１が構成される。
【００６３】
なお、コイル電極４０２Ａも、コイル電極２０２Ａと同様に、コイル電極３０１Ａに対して電磁界結合するように、平面視して少なくとも一部が重なる位置に形成されている。これにより、平衡側インダクタＬ２と不平衡側インダクタＬ１とによる相互インダクタＭが実現される。本実施例においては、コイル電極２０２Ａとコイル電極４０２Ａにより、コイル電極３０１Ａが積層方向に挟まれる形となっているため、平衡側インダクタＬ２と不平衡側インダクタＬ１との間の相互インダクタＭをより大きくできる。
【００６４】
誘電体層１０５には、内層電極パターンが形成されていない。
【００６５】
誘電体層１０６には、平面視して略四角形の平板電極６０１Ａが形成されている。平板電極６０１Ａは、積層体１００を平面視して、不平衡側インダクタＬ１を構成するコイル電極２０２Ａ，４０２Ａの形成領域側、すなわち、コイル電極２０２Ａ，４０２Ａと平面視して重なる領域に形成されている。この平板電極６０１Ａは、不平衡側キャパシタＣ１の一方の対向電極に相当する。
【００６６】
誘電体層１０７には、平面視して略四角形の平板電極７０１Ａ，７０２Ａが形成されている。平板電極７０１Ａは、平板電極６０１Ａと積層方向に沿って対向する位置に形成されている。この構成により、平板電極７０１Ａが不平衡側キャパシタＣ１の他方の対向電極となり、平板電極６０１Ａ，７０１Ａと誘電体層１０６とにより、不平衡側キャパシタＣ１が構成される。平板電極７０１Ａは、第１側面のグランド端子ＧＮＤおよび第２側面の中央のグランド端子ＧＮＤに接続されている。これにより、不平衡側キャパシタＣ１と不平衡側インダクタＬ１との共振回路が構成される。
【００６７】
平板電極７０２Ａは、グランド端子ＧＮＤを含む外部端子のいずれにも接続しない浮き電極からなる。
【００６８】
誘電体層１０８には、平面視して略四角形の平板電極８０１Ａ，８０２Ａが形成されている。平板電極８０１Ａは、平板電極７０２Ａと積層方向に沿って対向するように、形成されている。この構成により、平板電極８０１Ａ，７０２Ａ間に誘電体層１０７が介在した第１平衡側キャパシタＣ２が構成される。平板電極８０１Ａは、第１側面の第１平衡端子Ｐｂ１に接続されている。
【００６９】
また、平板電極８０２Ａは、平板電極７０２Ａと積層方向に沿って対向するように、形成されている。この構成により、平板電極８０２Ａ，７０２Ａ間に誘電体層１０７が介在した第２平衡側キャパシタＣ３が構成される。平板電極８０２Ａは、第２側面の第２平衡端子Ｐｂ２に接続されている。
【００７０】
以上のような構成により、図４の回路構成からなる積層型フィルタ１０Ａを、積層体１００を用いて実現することができる。そして、図５に示すような構成を用いることで、第１の実施形態と同様に、位相バランスが安定した積層型フィルタ１０Ａを実現することができる。
【００７１】
次に、第３の実施形態に係る積層型フィルタについて、図を参照して説明する。なお、本実施形態の積層型フィルタ１０Ｂは、回路構成が第２の実施形態に示した積層型フィルタ１０Ａと同じであるので、回路構成の説明は省略する。
【００７２】
図６は本実施形態に係る積層型フィルタ１０Ｂの外観斜視図である。図７は本実施形態に係る積層型フィルタ１０Ｂの分解斜視図である。
【００７３】
積層型フィルタ１０Ｂは、１３層の誘電体層１０１−１１３を順次積層した積層体１００Ｂによって実現される。
【００７４】
積層体１００Ｂは、図６に示すように、外形形状が略直方体形状からなる。積層体１００Ｂの第１側面には、不平衡端子Ｐｕｎｂ、グランド端子ＧＮＤ、および第１平衡端子Ｐｂ１が、この順で配列形成されている。前記第１側面に対向する積層体１００Ｂの第２側面には、二個のグランド端子ＧＮＤと、第２平衡端子Ｐｂ２とが、この順で配列形成されている。この際、第１平衡端子Ｐｂ１と第２平衡端子Ｐｂ２とが対向するように配置されている。また、これらの側面に直交する第３側面および第４側面には、それぞれ接続用電極Ｓｅが形成されている。接続用電極Ｓｅは、後述する所定の内層電極を接続するパターンであり、当該積層型フィルタ１０Ｂが実装されるマザー基板の機能回路パターンには接続されない。
【００７５】
誘電体層１０１には、外部端子群およびマーキング電極のみが形成されている。
【００７６】
誘電体層１０２には、平面視して略四角形の平板電極２０１Ｂが形成されている。平板電極２０１Ｂは、誘電体層１０２の第１平衡端子Ｐｂ１および第２平衡端子Ｐｂ２側の領域に所定面積（図では略半面）で形成されている。平板電極２０１Ｂは、接続用電極Ｓｅに接続されている。
【００７７】
誘電体層１０３には、平面視して略四角形の平板電極３０１Ｂが形成されている。平板電極３０１Ｂは、平板電極２０１Ｂと積層方向に沿って対向する位置に形成されている。平板電極３０１Ｂは、第１側面の第１平衡端子Ｐｂ１に接続されている。
【００７８】
誘電体層１０２の平板電極２０１Ｂと、誘電体層１０３の平板電極３０１Ｂと、これらの間に介在する誘電体層１０２とにより、第１平衡側キャパシタＣ２が構成される。
【００７９】
誘電体層１０４には、内層電極パターンが形成されていない。
【００８０】
誘電体層１０５には、コイル電極５０１Ｂが形成されている。コイル電極５０１Ｂは一方端が第１側面の第１平衡端子Ｐｂ１に接続されている。コイル電極５０１Ｂは、平面視して、当該一方端を始点として、巻回形に形成されている。コイル電極５０１Ｂの他方端は導電性のビア電極ＶＨ５６を介して、誘電体層１０６のコイル電極６０１Ｂの一方端に接続されている。
【００８１】
誘電体層１０６には、コイル電極６０１Ｂ，６０２Ｂが形成されている。コイル電極６０１Ｂの一方端は、ビア電極ＶＨ５６を介してコイル電極５０１Ｂの他方端に接続されている。コイル電極６０１Ｂは、平面視して、当該一方端を始点として、巻回形に形成されている。この際、コイル電極６０１Ｂは、コイル電極５０１Ｂと同じ巻回方向で形成される。これらコイル電極５０１Ｂ，６０１Ｂとビア電極ＶＨ５６とにより、平衡側インダクタＬ３が構成される。
【００８２】
コイル電極６０１Ｂの他方端は導電性のビア電極ＶＨ６７を介して、誘電体層１０７のコイル電極７０１Ｂの一方端に接続されている。
【００８３】
コイル電極６０２Ｂの一方端は、第１側面の不平衡端子Ｐｕｎｂに接続されている。コイル電極６０２Ｂは、平面視して、当該一方端を始点として、巻回形に形成されている。コイル電極６０２Ｂの他方端は導電性のビア電極ＶＨ６８を介して、誘電体層１０８のコイル電極８０２Ｂの一方端に接続されている。
【００８４】
コイル電極６０２Ｂは、誘電体層１０７のコイル電極７０１Ｂと電磁界結合するように、積層体を平面視してコイル電極７０１Ｂと少なくとも一部が重なる位置に形成されている。
【００８５】
誘電体層１０７には、コイル電極７０１Ｂが形成されている。コイル電極７０１Ｂの一方端は、上述のようにビア電極ＶＨ６７を介してコイル電極６０１Ｂの他方端に接続されている。コイル電極７０１Ｂは、当該一方端を始点として略全面に亘るように巻回形に形成されている。コイル電極７０１Ｂの他方端は導電性のビア電極ＶＨ７８を介して、誘電体層１０８のコイル電極８０１Ｂの一方端に接続されている。このコイル電極７０１Ｂにより、平衡側インダクタＬ２が構成される。
【００８６】
また、コイル電極７０１Ｂは、巻回形の所定位置が第２側面の端のグランド端子ＧＮＤに接続されている。これにより、平衡側インダクタＬ２の所定点がグランド接続される。
【００８７】
誘電体層１０８には、コイル電極８０１Ｂ，８０２Ｂが形成されている。コイル電極８０２Ｂの一方端は、上述のようにビア電極ＶＨ６８を介してコイル電極６０２Ｂの他方端に接続されている。コイル電極８０２Ｂは、当該一方端を始点として巻回形に形成されている。この際、コイル電極８０２Ｂは、積層体１００Ｂを平面視してコイル電極６０２Ｂと巻回方向が一致するように形成されている。コイル電極８０２Ｂの他方端は、第２側面の端のグランド端子ＧＮＤに接続されている。これらコイル電極６０２Ｂ、ビア電極ＶＨ６８、およびコイル電極８０２Ｂによって、不平衡側インダクタＬ１が構成される。
【００８８】
なお、コイル電極８０２Ｂも、コイル電極６０２Ｂと同様に、コイル電極７０１Ｂに対して電磁界結合するように、積層体を平面視してコイル電極７０１Ｂと少なくとも一部が重なる位置に形成されている。これにより、平衡側インダクタＬ２と不平衡側インダクタＬ１とによる相互インダクタＭが実現される。本実施例においては、コイル電極６０２Ｂとコイル電極８０２Ｂにより、コイル電極７０１Ｂが積層方向に挟まれる形となっているため、平衡側インダクタＬ２と不平衡側インダクタＬ１間の相互インダクタＭをより大きくできる。
【００８９】
コイル電極８０１Ｂの一方端は、上述のようにビア電極ＶＨ７８を介してコイル電極７０１Ｂの他方端に接続されている。コイル電極８０１Ｂは、当該一方端を始点として巻回形に形成されている。この際、コイル電極８０１Ｂは、積層体１００Ｂを平面視してコイル電極５０１Ｂ，６０１Ｂと巻回方向が一致するように形成されている。コイル電極８０１Ｂの他方端は、ビア電極ＶＨ８９を介して、誘電体層１０９のコイル電極９０１Ｂの一方端に接続されている。
【００９０】
誘電体層１０９には、コイル電極９０１Ｂが形成されている。コイル電極９０１Ｂの一方端は、上述のようにビア電極ＶＨ８９を介してコイル電極８０１Ｂの他方端に接続されている。コイル電極９０１Ｂは、当該一方端を始点として巻回形に形成されている。この際、コイル電極９０１Ｂは、積層体１００Ｂを平面視してコイル電極８０１Ｂと巻回方向が一致するように形成されている。コイル電極９０１Ｂの他方端は、第２側面の第２平衡端子Ｐｂ２に接続されている。このコイル電極８０１Ｂ、ビア電極ＶＨ８９、コイル電極９０１Ｂにより、平衡側インダクタＬ４が構成される。
【００９１】
誘電体層１１０には、内層電極パターンが形成されていない。
【００９２】
誘電体層１１１には、平面視して略四角形の平板電極１１０１Ｂが形成されている。平板電極１１０１Ｂは、積層体１００Ｂを平面視して、不平衡側インダクタＬ１を構成するコイル電極６０２Ｂ，８０２Ｂの形成領域側、すなわち、コイル電極６０２Ｂ，８０２Ｂと平面視して重なる領域に形成されている。
【００９３】
誘電体層１１２には、平面視して略四角形の平板電極１２０１Ｂ，１２０２Ｂが形成されている。平板電極１２０２Ｂは、平板電極１１０１Ｂと積層方向に沿って対向する位置に形成されている。この構成により、平板電極１２０２Ｂ，１１０１Ｂと誘電体層１１１とにより、不平衡側キャパシタＣ１が構成される。平板電極１２０２Ｂは、第１側面のグランド端子ＧＮＤおよび第２側面の中央のグランド端子ＧＮＤに接続されている。これにより、不平衡側キャパシタＣ１と不平衡側インダクタＬ１との共振回路が構成される。
【００９４】
平板電極１２０１Ｂは、積層体１００Ｂを平面視して、平衡側インダクタＬ３，Ｌ４を構成するコイル電極５０１Ｂ，６０１Ｂ，８０１Ｂ，９０１Ｂの形成領域側、すなわち、コイル電極５０１Ｂ，６０１Ｂ，８０１Ｂ，９０１Ｂと平面視して重なる領域に形成されている。平板電極１２０１Ｂは、第２側面の第２平衡端子Ｐｂ２に接続されている。
【００９５】
誘電体層１１３には、平面視して略四角形の平板電極１３０１Ｂが形成されている。平板電極１３０１Ｂは、平板電極１２０１Ｂと積層方向に沿って対向するように、形成されている。平板電極１３０１Ｂは、接続用電極Ｓｅに接続されている。
【００９６】
誘電体層１１２の平板電極１２０１Ｂと、誘電体層１１３の平板電極１３０１Ｂと、これらの間に介在する誘電体層１１２とにより、第２平衡側キャパシタＣ３が構成される。
【００９７】
以上の構成では、第１平衡側キャパシタＣ２の平板電極２０１Ｂと第２平衡側キャパシタＣ３の平板電極１３０１Ｂとは、接続用電極Ｓｅで接続され、グランド端子ＧＮＤに接続されない。したがって、これら平板電極２０１Ｂ，１３０１Ｂは、グランド端子ＧＮＤに接続しない浮き電極となる。これにより、上述の実施形態と同様に、安定したバランス特性の積層型フィルタ１０Ｂを実現することができる。
【００９８】
さらに、本実施形態に示すように、第１平衡側キャパシタＣ２と第２平衡側キャパシタＣ３とを、積層方向に沿って列ぶように形成することで、第１平衡側キャパシタＣ２と第２平衡側キャパシタＣ３とを、上述の各実施形態と同じキャパシタンスに設定する場合に、上述の各実施形態の構成よりも平面形状を小さくすることができる。また、同じ平面形状であれば、より大きなキャパシタンスを実現することができる。
【００９９】
さらに、第１平衡側キャパシタＣ２と第２平衡側キャパシタＣ３は、積層方向に不平衡側インダクタＬ１と平衡側インダクタＬ２，Ｌ３，Ｌ４を挟んで配置されるので、より安定したバランス特性が得られる。
【０１００】
次に、第４の実施形態に係る積層型フィルタについて、図を参照して説明する。本実施形態の積層型フィルタ１０Ｃは、第１の実施形態に示した積層型フィルタ１０に対して、ＤＣフィード端子を追加したものである。
【０１０１】
図８は本実施形態に係る積層型フィルタ１０Ｃの回路図である。図８に示すように、積層型フィルタ１０Ｃは、平衡側インダクタＬ２の中点にＤＣフィード端子Ｐｄｃが接続されている。ＤＣフィード端子Ｐｄｃと平衡側インダクタＬ２との接続ラインは、キャパシタＣｇを介してグランドへ接続されている。なお、その他の構成は、第１の実施形態に示した積層型フィルタ１０と同じであるので、回路構成の説明は省略する。
【０１０２】
図９は本実施形態に係る積層型フィルタ１０Ｃの外観斜視図である。図９に示すように、外形形状が略直方体形状からなる。積層体１００Ｃの第１側面には、不平衡端子Ｐｕｎｂ、ＤＣフィード端子Ｐｄｃの外部電極（以下、ＤＣフィード端子Ｐｄｃと称する。）、および第１平衡端子Ｐｂ１が、この順で配列形成されている。前記第１側面に対向する積層体１００Ｃの第２側面には、二個のグランド端子ＧＮＤと、第２平衡端子Ｐｂ２とが、この順で配列形成されている。この際、第１平衡端子Ｐｂ１と第２平衡端子Ｐｂ２とが対向するように配置されている。また、これらの側面に直交する第３側面および第４側面には、それぞれ接続用電極Ｓｅが形成されている。接続用電極Ｓｅは、後述する所定の内層電極を接続するパターンであり、当該積層型フィルタ１０Ｃが実装されるマザー基板の機能回路パターンには接続されない。
【０１０３】
図１０は本実施形態に係る積層型フィルタ１０Ｃの分解斜視図である。積層型フィルタ１０Ｃは、１３層の誘電体層１０１−１１３を順次積層した積層体１００Ｃによって実現される。
【０１０４】
誘電体層１０１には、外部端子群およびマーキング電極のみが形成されている。
【０１０５】
誘電体層１０２には、平面視して略四角形の平板電極２０１Ｃが形成されている。平板電極２０１Ｃは、誘電体層１０２の第１平衡端子Ｐｂ１および第２平衡端子Ｐｂ２側の領域に所定面積（図では略半面）で形成されている。平板電極２０１Ｃは、接続用電極Ｓｅに接続されている。
【０１０６】
誘電体層１０３には、平面視して略四角形の平板電極３０１Ｃが形成されている。平板電極３０１Ｃは、平板電極２０１Ｃと積層方向に沿って対向する位置に形成されている。平板電極３０１Ｃは、第１側面の第１平衡端子Ｐｂ１に接続されている。
【０１０７】
誘電体層１０２の平板電極２０１Ｃと、誘電体層１０３の平板電極３０１Ｃと、これらの間に介在する誘電体層１０２とにより、第１平衡側キャパシタＣ２が構成される。
【０１０８】
誘電体層１０４には、内層電極パターンが形成されていない。
【０１０９】
誘電体層１０５には、コイル電極５０１Ｃが形成されている。コイル電極５０１Ｃは一方端が第１側面の第１平衡端子Ｐｂ１に接続されている。コイル電極５０１Ｃは、平面視して、当該一方端を始点として、巻回形に形成されている。コイル電極５０１Ｃの他方端は導電性のビア電極ＶＨ５６を介して、誘電体層１０６のコイル電極６０１Ｃの一方端に接続されている。
【０１１０】
誘電体層１０６には、コイル電極６０１Ｃ，６０２Ｃが形成されている。コイル電極６０１Ｃの一方端は、ビア電極ＶＨ５６を介してコイル電極５０１Ｃの他方端に接続されている。コイル電極６０１Ｃは、平面視して、当該一方端を始点として、巻回形に形成されている。この際、コイル電極６０１Ｃは、コイル電極５０１Ｃと同じ巻回方向で形成される。これらコイル電極５０１Ｃ，６０１Ｃとビア電極ＶＨ５６とにより、平衡側インダクタＬ３が構成される。
【０１１１】
コイル電極６０１Ｃの他方端は導電性のビア電極ＶＨ６７を介して、誘電体層１０７のコイル電極７０１Ｃの一方端に接続されている。
【０１１２】
コイル電極６０２Ｃの一方端は、第１側面の不平衡端子Ｐｕｎｂに接続されている。コイル電極６０２Ｃは、平面視して、当該一方端を始点として、巻回形に形成されている。コイル電極６０２Ｃの他方端は導電性のビア電極ＶＨ６８を介して、誘電体層１０８のコイル電極８０２Ｃの一方端に接続されている。
【０１１３】
コイル電極６０２Ｃは、誘電体層１０７のコイル電極７０１Ｃと電磁界結合するように、積層体を平面視してコイル電極７０１Ｃと少なくとも一部が重なる位置に形成されている。
【０１１４】
誘電体層１０７には、コイル電極７０１Ｃが形成されている。コイル電極７０１Ｃの一方端は、上述のようにビア電極ＶＨ６７を介してコイル電極６０１Ｃの他方端に接続されている。コイル電極７０１Ｃは、当該一方端を始点として略全面に亘るように巻回形に形成されている。コイル電極７０１Ｃの他方端は導電性のビア電極ＶＨ７８を介して、誘電体層１０８のコイル電極８０１Ｃの一方端に接続されている。このコイル電極７０１Ｃにより、平衡側インダクタＬ２が構成される。コイル電極７０１Ｃの巻回方向の所定位置は、誘電体層１０８，１０９を貫通するビア電極ＶＨ７１０を介して、誘電体層１１０の平板電極１００１Ｃに接続されている。
【０１１５】
誘電体層１０８には、コイル電極８０１Ｃ，８０２Ｃが形成されている。コイル電極８０２Ｃの一方端は、上述のようにビア電極ＶＨ６８を介してコイル電極６０２Ｃの他方端に接続されている。コイル電極８０２Ｃは、当該一方端を始点として巻回形に形成されている。この際、コイル電極８０２Ｃは、積層体１００Ｃを平面視してコイル電極６０２Ｃと巻回方向が一致するように形成されている。コイル電極８０２Ｃの他方端は、第２側面の端のグランド端子ＧＮＤに接続されている。これらコイル電極６０２Ｃ、ビア電極ＶＨ６８、およびコイル電極８０２Ｃによって、不平衡側インダクタＬ１が構成される。
【０１１６】
なお、コイル電極８０２Ｃも、コイル電極６０２Ｃと同様に、コイル電極７０１Ｃに対して電磁界結合するように、積層体を平面視してコイル電極７０１Ｃと少なくとも一部が重なる位置に形成されている。これにより、平衡側インダクタＬ２と不平衡側インダクタＬ１とによる相互インダクタＭが実現される。本実施例においては、コイル電極６０２Ｃとコイル電極８０２Ｃにより、コイル電極７０１Ｃが積層方向に挟まれる形となっているため、平衡側インダクタＬ２と不平衡側インダクタＬ１間の相互インダクタＭをより大きくできる。
【０１１７】
コイル電極８０１Ｃの一方端は、上述のようにビア電極ＶＨ７８を介してコイル電極７０１Ｃの他方端に接続されている。コイル電極８０１Ｃは、当該一方端を始点として巻回形に形成されている。この際、コイル電極８０１Ｃは、積層体１００Ｃを平面視してコイル電極５０１Ｃ，６０１Ｃと巻回方向が一致するように形成されている。コイル電極８０１Ｃの他方端は、ビア電極ＶＨ８９を介して、誘電体層１０９のコイル電極９０１Ｃの一方端に接続されている。
【０１１８】
誘電体層１０９には、コイル電極９０１Ｃが形成されている。コイル電極９０１Ｃの一方端は、上述のようにビア電極ＶＨ８９を介してコイル電極８０１Ｃの他方端に接続されている。コイル電極９０１Ｃは、当該一方端を始点として巻回形に形成されている。この際、コイル電極９０１Ｃは、積層体１００Ｃを平面視してコイル電極８０１Ｃと巻回方向が一致するように形成されている。コイル電極９０１Ｃの他方端は、第２側面の第２平衡端子Ｐｂ２に接続されている。このコイル電極８０１Ｃ、ビア電極ＶＨ８９、コイル電極９０１Ｃにより、平衡側インダクタＬ４が構成される。
【０１１９】
誘電体層１１０には、平面視して略四角形の平板電極１００１Ｃが形成されている。平板電極１００１Ｃは、積層体１００Ｃを平面視して、不平衡側インダクタＬ１を構成するコイル電極の形成領域側に形成されている。平板電極１００１Ｃは、第１側面のＤＣフィード端子Ｐｄｃに接続されている。
【０１２０】
誘電体層１１１には、平面視して略四角形の平板電極１１０１Ｃが形成されている。平板電極１１０１Ｃは、積層体１００Ｃを平面視して、不平衡側インダクタＬ１を構成するコイル電極の形成領域側に形成されている。この際、平板電極１１０１Ｃは、平板電極１００１Ｃと、積層方向に沿って対向する位置に形成されている。これら平板電極１００１Ｃ，１１０１Ｃと誘電体層１１０とにより、ＤＣフィード端子Ｐｄｃ保護用のキャパシタＣｇが構成される。このキャパシタＣｇにより、ＤＣフィード端子を通過する信号の高周波成分を除去することができる。
【０１２１】
誘電体層１１２には、平面視して略四角形の平板電極１２０１Ｃ，１２０２Ｃが形成されている。平板電極１２０２Ｃは、平板電極１１０１Ｃと積層方向に沿って対向する位置に形成されている。この構成により、平板電極１２０２Ｃ，１１０１Ｃと誘電体層１１１とにより、不平衡側キャパシタＣ１が構成される。平板電極１２０２Ｃは、第１側面の不平衡端子Ｐｕｎｂに接続される。この構成により、不平衡側キャパシタＣ１と不平衡側インダクタＬ１との共振回路が構成される。
【０１２２】
平板電極１２０１Ｃは、積層体１００Ｃを平面視して、平衡側インダクタＬ３，Ｌ４を構成するコイル電極の形成領域側に形成されている。平板電極１２０１Ｃは、第２側面の第２平衡端子Ｐｂ２に接続されている。
【０１２３】
誘電体層１１３には、平面視して略四角形の平板電極１３０１Ｃが形成されている。平板電極１３０１Ｃは、平板電極１２０１Ｃと積層方向に沿って対向するように、形成されている。平板電極１３０１Ｃは、接続用電極Ｓｅに接続されている。
【０１２４】
誘電体層１１２の平板電極１２０１Ｃと、誘電体層１１３の平板電極１３０１Ｃと、これらの間に介在する誘電体層１１２とにより、第２平衡側キャパシタＣ３が構成される。
【０１２５】
このように、本実施形態の構成を用いることで、ＤＣフィード端子Ｐｄｃを有する構成であっても、第３実施形態と同様の作用効果を得ることができる。
【０１２６】
次に、第５の実施形態に係る積層型フィルタについて、図を参照して説明する。上述の各実施形態では、一個の積層体で一個のバランスフィルタ回路を形成する例を示したが、以下の各実施形態では、一個の積層体で二個のバランスフィルタ回路を形成する例を示す。
【０１２７】
図１１は本実施形態の積層型フィルタ１０Ｄの回路図である。図１１に示すように、本実施形態の積層型フィルタ１０Ｄは、第２実施形態の図４に示したフィルタ回路を一個の積層体で二個形成したものである。
【０１２８】
＜回路構成＞
積層型フィルタ１０Ｄを構成する第１フィルタ回路は、不平衡型信号を入出力する不平衡端子Ｐｕｎｂａと、平衡型信号を入出力する第１平衡端子Ｐｂａ１および第２平衡端子Ｐｂａ２を備える。
【０１２９】
不平衡端子Ｐｕｎｂａとグランドとの間には、不平衡側キャパシタＣ１ａと不平衡側インダクタＬ１ａとの並列共振回路が接続されている。
【０１３０】
第１平衡端子Ｐｂａ１と第２平衡端子Ｐｂａ２との間には、三個の平衡側インダクタＬ３ａ，Ｌ２ａ，Ｌ４ａが直列接続されている。この際、平衡側インダクタＬ３ａ，Ｌ２ａ，Ｌ４ａは、第１平衡端子Ｐｂａ１側から、平衡側インダクタＬ３ａ，Ｌ２ａ，Ｌ４ａの順で接続されている。これら平衡側インダクタＬ３ａ，Ｌ２ａ，Ｌ４ａは、後述するように、巻き方向が同じとなるヘリカル状のコイルによって実現される。なお、本実施形態では、三個の平衡側インダクタを用いたが、一個を除く奇数であれば、平衡側インダクタ数は他の数であってもよい。
【０１３１】
平衡側インダクタＬ２ａは、不平衡側インダクタＬ１ａと電磁界結合するように、配置されている。この構成より、平衡側インダクタＬ２ａと不平衡側インダクタＬ１ａとの間には相互インダクタＭａが作用する。平衡側インダクタＬ２ａは、所定点がグランドに接続されている。このように、平衡側インダクタＬ２ａを接地させることにより、平衡側信号の位相バランスがより安定する。
【０１３２】
第１平衡端子Ｐｂａ１と第２平衡端子Ｐｂａ２との間には、第１平衡側キャパシタＣ２ａと第２平衡側キャパシタＣ３ａとの直列回路が接続されている。この際、第１平衡側キャパシタＣ２ａと第２平衡側キャパシタＣ３ａとは、第１平衡端子Ｐｂａ１側から、第１平衡側キャパシタＣ２ａ、第２平衡側キャパシタＣ３ａの順で接続されている。
【０１３３】
積層型フィルタ１０Ｄを構成する第２フィルタ回路は、不平衡型信号を入出力する不平衡端子Ｐｕｎｂｂと、平衡型信号を入出力する第１平衡端子Ｐｂｂ１および第２平衡端子Ｐｂｂ２を備える。
【０１３４】
不平衡端子Ｐｕｎｂｂとグランドとの間には、不平衡側キャパシタＣ１ｂと不平衡側インダクタＬ１ｂとの並列共振回路が接続されている。
【０１３５】
第１平衡端子Ｐｂｂ１と第２平衡端子Ｐｂｂ２との間には、三個の平衡側インダクタＬ３ｂ，Ｌ２ｂ，Ｌ４ｂが直列接続されている。この際、平衡側インダクタＬ３ｂ，Ｌ２ｂ，Ｌ４ｂは、第１平衡端子Ｐｂｂ１側から、平衡側インダクタＬ３ｂ，Ｌ２ｂ，Ｌ４ｂの順で接続されている。これら平衡側インダクタＬ３ｂ，Ｌ２ｂ，Ｌ４ｂは、後述するように、巻き方向が同じとなるヘリカル状のコイルによって実現される。なお、本実施形態では、三個の平衡側インダクタを用いたが、一個を除く奇数であれば、平衡側インダクタ数は他の数であってもよい。
【０１３６】
平衡側インダクタＬ２ｂは、不平衡側インダクタＬ１ｂと電磁界結合するように、配置されている。この構成より、平衡側インダクタＬ２ｂと不平衡側インダクタＬ１ｂとの間には相互インダクタＭｂが作用する。平衡側インダクタＬ２ｂは、所定点がグランドに接続されている。
【０１３７】
第１平衡端子Ｐｂｂ１と第２平衡端子Ｐｂｂ２との間には、第１平衡側キャパシタＣ２ｂと第２平衡側キャパシタＣ３ｂとの直列回路が接続されている。この際、第１平衡側キャパシタＣ２ｂと第２平衡側キャパシタＣ３ｂとは、第１平衡端子Ｐｂｂ１側から、第１平衡側キャパシタＣ２ｂ、第２平衡側キャパシタＣ３ｂの順で接続されている。
【０１３８】
＜構造説明＞
次に、上述の回路構成からなる積層型フィルタ１０Ｄの構造について説明する。図１２は本実施形態に係る積層型フィルタ１０Ｄの外観斜視図である。図１３は本実施形態に係る積層型フィルタ１０Ｄの分解斜視図である。
【０１３９】
第１フィルタ回路を構成する各回路素子と、第２フィルタ回路を構成する各回路素子とは、高周波的に結合しないように、積層体１００Ｄを平面視して個別の領域に形成されている。また、具体的な巻回形状は図１３に示すが、インダクタの巻回方向は、フィルタ回路同士で逆になっている。これにより、第１フィルタ回路と第２フィルタ回路との結合が抑制される。
【０１４０】
積層型フィルタ１０Ｄは、１０層の誘電体層１０１Ｔ−１１０Ｔを順次積層した積層体１００Ｄによって実現される。
【０１４１】
積層体１００Ｄは、図１２に示すように、外形形状が略直方体形状からなる。積層体１００Ｄの第１側面には、第１フィルタ回路の不平衡端子用の外部電極（以下、不平衡端子Ｐｕｎｂａと称する。）、二つのグランド電極（以下、グランド端子ＧＮＤと称する。）、および第２フィルタ回路の不平衡端子用の外部電極（以下、不平衡端子Ｐｕｎｂｂと称する。）が、この順で配列形成されている。
【０１４２】
前記第１側面に対向する積層体１００Ｄの第２側面には、第１フィルタ回路の第１、第２平衡端子用の外部電極（以下、第１平衡端子Ｐｂａ１、第２平衡端子Ｐｂａ２と称する。）、第２フィルタ回路の第２、第１平衡端子用の外部電極（以下、第２平衡端子Ｐｂｂ２、第１平衡端子Ｐｂｂ１と称する。）がこの順で配列形成されている。この際、第１フィルタ回路の不平衡端子Ｐｕｎｂａと第１平衡端子Ｐｂａ１とが対向するように配置されている。上述の各実施形態と同様に、以下の各誘電体層の説明では、内層電極との接続関係を除き、これら外部端子の形成位置および形状の説明は省略する。
【０１４３】
積層体１００Ｄの最上層となる誘電体層１０１Ｔには、上記外部端子の電極パターンのみが形成されている。なお、図示しないが、誘電体層１０１Ｔの天面、すなわち積層体１００Ｄの天面に、実装方向を定義するためのマーキング電極が形成されている。
【０１４４】
誘電体層１０２Ｔには、コイル電極２０１Ｄａ，２０１Ｄｂが形成されている。コイル電極２０１Ｄａは一方端が第２側面の第１フィルタ回路の第１平衡端子Ｐｂａ１に接続されている。コイル電極２０１Ｄａは平面視して、当該一方端を始点として、巻回形に形成されている。コイル電極２０１Ｄａの他方端は導電性のビア電極ＶＨ２３ａを介して、誘電体層１０３Ｔのコイル電極３０１Ｄａの一方端に接続されている。
【０１４５】
コイル電極２０１Ｄｂは一方端が第２側面の第２フィルタ回路の第１平衡端子Ｐｂｂ１に接続されている。コイル電極２０１Ｄｂは平面視して、当該一方端を始点として、巻回形に形成されている。コイル電極２０１Ｄｂの他方端は導電性のビア電極ＶＨ２３ｂを介して、誘電体層１０３Ｔのコイル電極３０１Ｄｂの一方端に接続されている。
【０１４６】
誘電体層１０３Ｔには、コイル電極３０１Ｄａ，３０１Ｄｂ，３０１Ｄｃ，３０１Ｄｄが形成されている。
【０１４７】
コイル電極３０１Ｄａは一方端がビア電極ＶＨ２３ａを介してコイル電極２０１Ｄａの他方端に接続されている。コイル電極３０１Ｄａは平面視して、当該一方端を始点として、コイル電極２０１Ｄａと同じ方向へ巻回する巻回形に形成されている。コイル電極３０１Ｄａの他方端は導電性のビア電極ＶＨ３４ａを介して、誘電体層１０４Ｔのコイル電極４０１Ｄａの一方端に接続されている。コイル電極３０１Ｄａと、コイル電極２０１Ｄａおよびビア電極ＶＨ２３ａとにより、第１フィルタ回路の平衡側インダクタＬ３ａが構成される。
【０１４８】
コイル電極３０１Ｄｂは一方端がビア電極ＶＨ２３ｂを介してコイル電極２０１Ｄｂの他方端に接続されている。コイル電極３０１Ｄｂは、平面視して、当該一方端を始点として、コイル電極２０１Ｄｂと同じ方向へ巻回する巻回形に形成されている。コイル電極３０１Ｄｂの他方端は導電性のビア電極ＶＨ３４ｂを介して、誘電体層１０４Ｔのコイル電極４０１Ｄｂの一方端に接続されている。コイル電極３０１Ｄｂと、コイル電極２０１Ｄｂおよびビア電極ＶＨ２３ｂとにより、第２フィルタ回路の平衡側インダクタＬ３ｂが構成される。
【０１４９】
コイル電極３０１Ｄｃは、一方端が第１側面の第１フィルタのグランド端子ＧＮＤに接続されている。コイル電極３０１Ｄｃは、平面視して、当該一方端を始点として巻回形に形成されている。コイル電極３０１Ｄｃの他方端は導電性のビア電極ＶＨ３５ａを介して、誘電体層１０５Ｔのコイル電極５０１Ｄｃの一方端に接続されている。
【０１５０】
コイル電極３０１Ｄｄは、一方端が第１側面の第２フィルタのグランド端子ＧＮＤに接続されている。コイル電極３０１Ｄｄは、平面視して、当該一方端を始点として巻回形に形成されている。コイル電極３０１Ｄｄの他方端は導電性のビア電極ＶＨ３５ｂを介して、誘電体層１０５Ｔのコイル電極５０１Ｄｄの一方端に接続されている。
【０１５１】
誘電体層１０４Ｔには、コイル電極４０１Ｄａ，４０１Ｄｂが形成されている。コイル電極４０１Ｄａの一方端は、ビア電極ＶＨ３４ａを介して、コイル電極３０１Ｄａの他方端に接続されている。コイル電極４０１Ｄａは、その少なくとも一部がコイル電極３０１Ｄｃと平面視して重なり合うように、すなわち、コイル電極３０１Ｄｃと電磁界結合するように、巻回形状に形成されている。コイル電極４０１Ｄａの他方端は、ビア電極ＶＨ４５ａを介して、誘電体層１０５Ｔのコイル電極５０１Ｄａの一方端に接続されている。このコイル電極４０１Ｄａにより、第１フィルタ回路の平衡側インダクタＬ２ａが構成される。
【０１５２】
コイル電極４０１Ｄｂの一方端は、ビア電極ＶＨ３４ｂを介して、コイル電極３０１Ｄｂの他方端に接続されている。コイル電極４０１Ｄｂは、その少なくとも一部がコイル電極３０１Ｄｄと平面視して重なり合うように、すなわち、コイル電極３０１Ｄｄと電磁界結合するように、巻回形状に形成されている。コイル電極４０１Ｄｂの他方端は、ビア電極ＶＨ４５ｂを介して、誘電体層１０５Ｔのコイル電極５０１Ｄｂの一方端に接続されている。このコイル電極４０１Ｄｂにより、第２フィルタ回路の平衡側インダクタＬ２ｂが構成される。
【０１５３】
また、コイル電極４０１Ｄａ，４０１Ｄｂは、巻回形の所定位置から第１側面のグランド端子ＧＮＤに接続されている。これにより、平衡側インダクタＬ２ａ，Ｌ２ｂの所定点がグランド接続される。
【０１５４】
誘電体層１０５Ｔには、コイル電極５０１Ｄａ，５０１Ｄｂ，５０１Ｄｃ，５０１Ｄｄが形成されている。
【０１５５】
コイル電極５０１Ｄａの一方端は、ビア電極ＶＨ４５ａを介してコイル電極４０１Ｄａに接続されている。コイル電極５０１Ｄａは、平面視して、当該一方端を始点する巻回形に形成されている。この際、コイル電極５０１Ｄａは、積層体１００Ｄを平面視して第１フィルタ回路の第１、第２平衡端子Ｐｂａ１，Ｐｂａ２側の領域、すなわち、上述のコイル電極２０１Ｄａ，３０１Ｄａと重なり合うような領域に形成されている。コイル電極５０１Ｄａの他方端は、ビア電極ＶＨ５６ａを介して、誘電体層１０６Ｔのコイル電極６０１Ｄａの一方端に接続されている。
【０１５６】
コイル電極５０１Ｄｂの一方端は、ビア電極ＶＨ４５ｂを介してコイル電極４０１Ｄｂに接続されている。コイル電極５０１Ｄｂは、平面視して、当該一方端を始点する巻回形に形成されている。この際、コイル電極５０１Ｄｂは、積層体１００Ｄを平面視して第２フィルタ回路の第１、第２平衡端子Ｐｂｂ１，Ｐｂｂ２側の領域、すなわち、上述のコイル電極２０１Ｄｂ，３０１Ｄｂと重なり合うような領域に形成されている。コイル電極５０１Ｄｂの他方端は、ビア電極ＶＨ５６ｂを介して、誘電体層１０６Ｔのコイル電極６０１Ｄｂの一方端に接続されている。
【０１５７】
コイル電極５０１Ｄｃの一方端は、ビア電極ＶＨ３５ａを介してコイル電極３０１Ｄｃに接続されている。コイル電極５０１Ｄｃは、平面視して、当該一方端を始点としてコイル電極３０１Ｄｃと同じ方向に巻回する巻回形に形成されている。この際、コイル電極５０１Ｄｃも、コイル電極４０１Ｄａと電磁界結合するように、積層体を平面視してコイル電極４０１Ｄａと少なくとも一部が重なる位置に形成されている。コイル電極５０１Ｄｃの他方端は、第１フィルタ回路の不平衡端子Ｐｕｎｂａに接続されている。コイル電極５０１Ｄｃと、コイル電極３０１Ｄｃおよびビア電極ＶＨ３５ａにより、第１フィルタ回路の不平衡側インダクタＬ１ａが構成される。
【０１５８】
コイル電極５０１Ｄｄの一方端は、ビア電極ＶＨ３５ｂを介してコイル電極３０１Ｄｄに接続されている。コイル電極５０１Ｄｄは、平面視して、当該一方端を始点としてコイル電極３０１Ｄｄと同じ方向に巻回する巻回形に形成されている。この際、コイル電極５０１Ｄｄも、コイル電極４０１Ｄｂと電磁界結合するように、積層体を平面視してコイル電極４０１Ｄｂと少なくとも一部が重なる位置に形成されている。コイル電極５０１Ｄｄの他方端は、第２フィルタ回路の不平衡端子Ｐｕｎｂｂに接続されている。コイル電極５０１Ｄｄと、コイル電極３０１Ｄｄおよびビア電極ＶＨ３５ｂとにより、第２フィルタ回路の不平衡側インダクタＬ１ｂが構成される。
【０１５９】
誘電体層１０６Ｔには、コイル電極６０１Ｄａ，６０１Ｄｂが形成されている。コイル電極６０１Ｄａの一方端は、ビア電極ＶＨ５６ａを介してコイル電極５０１Ｄａの他方端に接続されている。コイル電極６０１Ｄａは、平面視して、当該一方端を始点としてコイル電極５０１Ｄａと同じ方向に巻回する巻回形状に形成されている。コイル電極６０１Ｄａと、コイル電極５０１Ｄａおよびビア電極ＶＨ５６ａとにより、第１フィルタ回路の平衡側インダクタＬ４ａが構成される。
【０１６０】
コイル電極６０１Ｄｂの一方端は、ビア電極ＶＨ５６ｂを介してコイル電極５０１Ｄｂの他方端に接続されている。コイル電極６０１Ｄｂは、平面視して、当該一方端を始点としてコイル電極５０１Ｄｂと同じ方向に巻回する巻回形状に形成されている。コイル電極６０１Ｄｂと、コイル電極５０１Ｄｂおよびビア電極ＶＨ５６ｂとにより、第２フィルタ回路の平衡側インダクタＬ４ｂが構成される。
【０１６１】
誘電体層１０７Ｔには、それぞれが所定の面積からなり、平面視して略四角形の平板電極７０１Ｄａ，７０１Ｄｂ、７０１Ｄｃ，７０１Ｄｄが形成されている。
【０１６２】
平板電極７０１Ｄｃは、積層体１００Ｄを平面視した第１フィルタ回路の不平衡端子Ｐｕｎｂａ側の領域に形成されている。すなわち、平板電極７０１Ｄｃは、積層体１００Ｄを平面視して、コイル電極３０１Ｄｃ，５０１Ｄｃの形成領域と重なるように形成されている。平板電極７０１Ｄｃは、第１側面のグランド端子ＧＮＤに接続されている。
【０１６３】
平板電極７０１Ｄｄは、積層体１００Ｄを平面視した第２フィルタ回路の不平衡端子Ｐｕｎｂｂ側の領域に形成されている。すなわち、平板電極７０１Ｄｄは、積層体１００Ｄを平面視して、コイル電極３０１Ｄｄ，５０１Ｄｄの形成領域と重なるように形成されている。平板電極７０１Ｄｄは、第１側面のグランド端子ＧＮＤに接続されている。
【０１６４】
平板電極７０１Ｄａは、積層体１００Ｄを平面視した第１フィルタ回路の第１、第２平衡端子Ｐｂａ１，Ｐｂａ２側の領域に形成されている。平板電極７０１Ｄａは、グランド端子ＧＮＤを含む外部電極に接続しない浮き電極である。
【０１６５】
平板電極７０１Ｄｂは、積層体１００Ｄを平面視した第２フィルタ回路の第１、第２平衡端子Ｐｂｂ１，Ｐｂｂ２側の領域に形成されている。平板電極７０１Ｄｂは、グランド端子ＧＮＤを含む外部電極に接続しない浮き電極である。
【０１６６】
誘電体層１０８Ｔには、それぞれが所定の面積からなり、平面視して略四角形の平板電極８０１Ｄａ，８０１Ｄｂ，８０１Ｄｃ，８０１Ｄｄ，８０１Ｄｅ，８０１Ｄｆが形成されている。
【０１６７】
平板電極８０１Ｄｅは、積層体１００Ｄを平面視して、平板電極７０１Ｄｃと対向するように形成されている。これら平板電極８０１Ｄｅ，７０１Ｄｃおよび誘電体層１０７Ｔにより、第１フィルタ回路の不平衡側キャパシタＣ１ａが構成される。平板電極８０１Ｄｅは、第１側面の第１フィルタ回路の不平衡端子Ｐｕｎｂａに接続されている。
【０１６８】
平板電極８０１Ｄｆは、積層体１００Ｄを平面視して、平板電極７０１Ｄｄと積層方向に沿って対向するように形成されている。これら平板電極８０１Ｄｆ，７０１Ｄｄおよび誘電体層１０７Ｔにより、第２フィルタ回路の不平衡側キャパシタＣ１ｂが構成される。平板電極８０１Ｄｆは、第１側面の第２フィルタ回路の不平衡端子Ｐｕｎｂｂに接続されている。
【０１６９】
平板電極８０１Ｄａ，８０１Ｄｂは、それぞれ平板電極７０１Ｄａと積層方向に沿って対向するように形成されている。平板電極８０１Ｄａは、第２側面の第１フィルタの第１平衡端子Ｐｂａ１へ接続されており、平板電極８０１Ｄｂは、第２側面の第１フィルタの第２平衡端子Ｐｂａ２へ接続されている。
【０１７０】
平板電極８０１Ｄｃ，８０１Ｄｄは、それぞれ平板電極７０１Ｄｂと積層方向に沿って対向するように形成されている。平板電極８０１Ｄｃは、第２側面の第２フィルタの第２平衡端子Ｐｂｂ２へ接続されており、平板電極８０１Ｄｄは、第２側面の第２フィルタの第１平衡端子Ｐｂｂ１へ接続されている。
【０１７１】
誘電体層１０９Ｔには、それぞれが所定の面積からなり、平面視して略四角形の平板電極９０１Ｄａ，９０１Ｄｂが形成されている。平板電極９０１Ｄａは、平板電極８０１Ｄａ，８０１Ｄｂと積層方向に沿って対向するように形成されている。これら平板電極９０１Ｄａ，８０１Ｄａ，７０１Ｄａと誘電体層１０７Ｔ，１０８Ｔとにより、第１フィルタ回路の第１平衡側キャパシタＣ２ａが構成される。これら平板電極９０１Ｄａ，８０１Ｄｂ，７０１Ｄａと誘電体層１０７Ｔ，１０８Ｔとにより、第１フィルタ回路の第２平衡側キャパシタＣ３ａが構成される。
【０１７２】
平板電極９０１Ｄｂは、平板電極８０１Ｄｃ，８０１Ｄｄと積層方向に沿って対向するように形成されている。
【０１７３】
誘電体層１１０Ｔには、それぞれが所定の面積からなり、平面視して略四角形の平板電極１００１Ｄａ，１００１Ｄｂが形成されている。平板電極１００１Ｄａ，１００１Ｄｂは、それぞれ平板電極９０１Ｄｂと積層方向に沿って対向するように形成されている。
【０１７４】
平板電極７０１Ｄｂ，８０１Ｄｃ，９０１Ｄｂ，１００１Ｄａと誘電体層１０７Ｔ，１０８Ｔ，１０９Ｔとにより第２フィルタ回路の第２平衡側キャパシタＣ３ｂが構成される。平板電極７０１Ｄｂ，８０１Ｄｄ，９０１Ｄｂ，１００１Ｄｂと誘電体層１０７Ｔ，１０８Ｔ，１０９Ｔとにより第２フィルタ回路の第１平衡側キャパシタＣ２ｂが構成される。
【０１７５】
平板電極１００１Ｄａは、第２フィルタ回路の第２平衡端子Ｐｂｂ２に接続されている。平板電極１００１Ｄｂは、第２フィルタ回路の第１平衡端子Ｐｂｂ１に接続されている。
【０１７６】
以上のように、本実施形態の構成を用いれば、単体の積層体に複数のフィルタ回路を形成するような場合であっても、上述の各実施形態と同様に、安定したバランス特性の積層型フィルタを実現することができる。
【０１７７】
次に、第６の実施形態に係る積層型フィルタについて、図を参照して説明する。本実施形態の積層型フィルタ１０Ｅは、第５の実施形態に示した積層型フィルタ１０Ｄに対して、平衡側インダクタＬ２ａ，Ｌ２ｂの所定点をグランド接続する構成ではなく、平衡側インダクタＬ２ａ，Ｌ２ｂの所定点にＤＣフィード端子Ｐｄｃを接続した構成からなる。
【０１７８】
図１４は本実施形態に係る積層型フィルタ１０Ｅの回路図である。図１４に示すように、第１フィルタ回路の平衡側インダクタＬ２ａの所定点は、ＤＣフィード端子Ｐｄｃに接続されている。Ｄｃフィード端子Ｐｄｃと平衡側インダクタＬ２ａとの接続ラインは、Ｃｇａを介してグランドへ接続されている。なお、その他の構成は、第５の実施形態に示した積層型フィルタ１０Ｄの第１フィルタ回路と同じであるので、回路構成の説明は省略する。
【０１７９】
また、図１４に示すように、第２フィルタ回路の平衡側インダクタＬ２ｂの所定点は、ＤＣフィード端子Ｐｄｃに接続されている。Ｄｃフィード端子Ｐｄｃと平衡側インダクタＬ２ｂとの接続ラインは、Ｃｇｂを介してグランドへ接続されている。なお、その他の構成は、第５の実施形態に示した積層型フィルタ１０Ｄの第２フィルタ回路と同じであるので、回路構成の説明は省略する。
【０１８０】
図１５は、本実施形態に係る積層型フィルタ１０Ｅの外観斜視図である。図１６は、本実施形態に係る積層型フィルタ１０Ｅの分解斜視図である。
【０１８１】
積層型フィルタ１０Ｅは、１１層の誘電体層１０１Ｔ−１１１Ｔを順次積層した積層体１００Ｅによって実現される。
【０１８２】
積層体１００Ｅは、図１５に示すように、外形形状が略直方体形状からなる。積層体１００Ｅの第１側面には、第１フィルタ回路の不平衡端子用の外部電極（以下、不平衡端子Ｐｕｎｂａと称する。）、ＤＣフィード端子用の電極（以下、ＤＣフィード用端子Ｐｄｃと称する。）、グランド電極（以下、グランド端子ＧＮＤと称する。）、および第２フィルタ回路の不平衡端子用の外部電極（以下、不平衡端子Ｐｕｎｂｂと称する。）が、この順で配列形成されている。
【０１８３】
前記第１側面に対向する積層体１００Ｅの第２側面には、第１フィルタ回路の第１、第２平衡端子用の外部電極（以下、第１平衡端子Ｐｂａ１、第２平衡端子Ｐｂａ２と称する。）、第２フィルタ回路の第２、第１平衡端子用の外部電極（以下、第２平衡端子Ｐｂｂ２、第１平衡端子Ｐｂｂ１と称する。）がこの順で配列形成されている。この際、第１フィルタ回路の不平衡端子Ｐｕｎｂａと第１平衡端子Ｐｂａ１とが対向するように配置されている。上述の各実施形態と同様に、以下の各誘電体層の説明では、内層電極との接続関係を除き、これら外部端子の形成位置および形状の説明は省略する。
【０１８４】
積層体１００Ｅの最上層となる誘電体層１０１Ｔには、上記外部端子の電極パターンのみが形成されている。なお、図示しないが、誘電体層１０１Ｔの天面、すなわち積層体１００Ｅの天面に、実装方向を定義するためのマーキング電極が形成されている。
【０１８５】
誘電体層１０２Ｔには、コイル電極２０１Ｅａ，２０１Ｅｂが形成されている。コイル電極２０１Ｅａは一方端が第２側面の第１フィルタ回路の第１平衡端子Ｐｂａ１に接続されている。コイル電極２０１Ｅａは平面視して、当該一方端を始点として、巻回形に形成されている。コイル電極２０１Ｅａの他方端は導電性のビア電極ＶＨ２３ａを介して、誘電体層１０３Ｔのコイル電極３０１Ｅａの一方端に接続されている。
【０１８６】
コイル電極２０１Ｅｂは一方端が第２側面の第２フィルタ回路の第１平衡端子Ｐｂｂ１に接続されている。コイル電極２０１Ｅｂは平面視して、当該一方端を始点として、巻回形に形成されている。コイル電極２０１Ｅｂの他方端は導電性のビア電極ＶＨ２３ｂを介して、誘電体層１０３Ｔのコイル電極３０１Ｅｂの一方端に接続されている。
【０１８７】
誘電体層１０３Ｔには、コイル電極３０１Ｅａ，３０１Ｅｂ，３０１Ｅｃ，３０１Ｅｄが形成されている。
【０１８８】
コイル電極３０１Ｅａは一方端がビア電極ＶＨ２３ａを介してコイル電極２０１Ｅａの他方端に接続されている。コイル電極３０１Ｅａは平面視して、当該一方端を始点として、コイル電極２０１Ｅａと同じ方向へ巻回する巻回形に形成されている。コイル電極３０１Ｅａの他方端は導電性のビア電極ＶＨ３４ａを介して、誘電体層１０４Ｔのコイル電極４０１Ｅａの一方端に接続されている。コイル電極３０１Ｅａと、コイル電極２０１Ｅａおよびビア電極ＶＨ２３ａとにより、第１フィルタ回路の平衡側インダクタＬ３ａが構成される。
【０１８９】
コイル電極３０１Ｅｂは一方端がビア電極ＶＨ２３ｂを介してコイル電極２０１Ｅｂの他方端に接続されている。コイル電極３０１Ｅｂは、平面視して、当該一方端を始点として、コイル電極２０１Ｅｂと同じ方向へ巻回する巻回形に形成されている。コイル電極３０１Ｅｂの他方端は導電性のビア電極ＶＨ３４ｂを介して、誘電体層１０４Ｔのコイル電極４０１Ｅｂの一方端に接続されている。コイル電極３０１Ｅｂと、コイル電極２０１Ｅｂおよびビア電極ＶＨ２３ｂとにより、第２フィルタ回路の平衡側インダクタＬ３ｂが構成される。
【０１９０】
コイル電極３０１Ｅｃは、一方端が第１側面の第１フィルタの不平衡端子Ｐｕｎｂａに接続されている。コイル電極３０１Ｅｃは、平面視して、当該一方端を始点として巻回形に形成されている。コイル電極３０１Ｅｃの他方端は導電性のビア電極ＶＨ３５ａを介して、誘電体層１０５Ｔのコイル電極５０１Ｅｃの一方端に接続されている。
【０１９１】
コイル電極３０１Ｅｄは、一方端が第１側面の第２フィルタの不平衡端子Ｐｕｎｂｂに接続されている。コイル電極３０１Ｅｄは、平面視して、当該一方端を始点として巻回形に形成されている。コイル電極３０１Ｅｄの他方端は導電性のビア電極ＶＨ３５ｂを介して、誘電体層１０５Ｔのコイル電極５０１Ｅｄの一方端に接続されている。
【０１９２】
誘電体層１０４Ｔには、コイル電極４０１Ｅａ，４０１Ｅｂが形成されている。コイル電極４０１Ｅａの一方端は、ビア電極ＶＨ３４ａを介して、コイル電極３０１Ｅａの他方端に接続されている。コイル電極４０１Ｅａは、その少なくとも一部がコイル電極３０１Ｅｃと平面視して重なり合うように、すなわち、コイル電極３０１Ｅｃと電磁界結合するように、巻回形状に形成されている。コイル電極４０１Ｅａの他方端は、ビア電極ＶＨ４５ａを介して、誘電体層１０５Ｔのコイル電極５０１Ｅａの一方端に接続されている。このコイル電極４０１Ｅａにより、第１フィルタ回路の平衡側インダクタＬ２ａが構成される。
【０１９３】
コイル電極４０１Ｅｂの一方端は、ビア電極ＶＨ３４ｂを介して、コイル電極３０１Ｅｂの他方端に接続されている。コイル電極４０１Ｅｂは、その少なくとも一部がコイル電極３０１Ｄｄと平面視して重なり合うように、すなわち、コイル電極３０１Ｅｄと電磁界結合するように、巻回形状に形成されている。コイル電極４０１Ｅｂの他方端は、ビア電極ＶＨ４５ｂを介して、誘電体層１０５Ｔのコイル電極５０１Ｅｂの一方端に接続されている。このコイル電極４０１Ｅｂにより、第２フィルタ回路の平衡側インダクタＬ２ｂが構成される。
【０１９４】
また、コイル電極４０１Ｅａは、ビア電極ＶＨ４７ａにより、巻回形の所定位置が誘電体層１０７Ｔの平板電極７０１Ｅａに接続されている。コイル電極４０１Ｅｂは、ビア電極ＶＨ４７ｂにより、巻回形の所定位置が誘電体層１０７Ｔの平板電極７０１Ｅａ接続されている。
【０１９５】
誘電体層１０５Ｔには、コイル電極５０１Ｅａ，５０１Ｅｂ，５０１Ｅｃ，５０１Ｅｄが形成されている。
【０１９６】
コイル電極５０１Ｅａの一方端は、ビア電極ＶＨ４５ａを介してコイル電極４０１Ｅａに接続されている。コイル電極５０１Ｅａは、平面視して、当該一方端を始点する巻回形に形成されている。この際、コイル電極５０１Ｅａは、積層体１００Ｅを平面視して第１フィルタ回路の第１、第２平衡端子Ｐｂａ１，Ｐｂａ２側の領域、すなわち、上述のコイル電極２０１Ｅａ，３０１Ｅａと重なり合うような領域に形成されている。コイル電極５０１Ｅａの他方端は、ビア電極ＶＨ５６ａを介して、誘電体層１０６Ｔのコイル電極６０１Ｅａの一方端に接続されている。
【０１９７】
コイル電極５０１Ｅｂの一方端は、ビア電極ＶＨ４５ｂを介してコイル電極４０１Ｅｂに接続されている。コイル電極５０１Ｅｂは、平面視して、当該一方端を始点する巻回形に形成されている。この際、コイル電極５０１Ｅｂは、積層体１００Ｅを平面視して第２フィルタ回路の第１、第２平衡端子Ｐｂｂ１，Ｐｂｂ２側の領域、すなわち、上述のコイル電極２０１Ｅｂ，３０１Ｅｂと重なり合うような領域に形成されている。コイル電極５０１Ｅｂの他方端は、ビア電極ＶＨ５６ｂを介して、誘電体層１０６Ｔのコイル電極６０１Ｅｂの一方端に接続されている。
【０１９８】
コイル電極５０１Ｅｃの一方端は、ビア電極ＶＨ３５ａを介してコイル電極３０１Ｅｃに接続されている。コイル電極５０１Ｅｃは、平面視して、当該一方端を始点としてコイル電極３０１Ｅｃと同じ方向に巻回する巻回形に形成されている。この際、コイル電極５０１Ｅｃも、コイル電極４０１Ｅａと電磁界結合するように、積層体を平面視してコイル電極４０１Ｅａと少なくとも一部が重なる位置に形成されている。コイル電極５０１Ｅｃの他方端は、第１フィルタ回路の不平衡端子Ｐｕｎｂａに接続されている。コイル電極５０１Ｅｃと、コイル電極３０１Ｅｃおよびビア電極ＶＨ３５ａにより、第１フィルタ回路の不平衡側インダクタＬ１ａが構成される。
【０１９９】
コイル電極５０１Ｅｄの一方端は、ビア電極ＶＨ３５ｂを介してコイル電極３０１Ｅｄに接続されている。コイル電極５０１Ｅｄは、平面視して、当該一方端を始点としてコイル電極３０１Ｅｄと同じ方向に巻回する巻回形に形成されている。この際、コイル電極５０１Ｅｄも、コイル電極４０１Ｅｂと電磁界結合するように、積層体を平面視してコイル電極４０１Ｅｂと少なくとも一部が重なる位置に形成されている。コイル電極５０１Ｅｄの他方端は、第２フィルタ回路の不平衡端子Ｐｕｎｂｂに接続されている。コイル電極５０１Ｅｄと、コイル電極３０１Ｅｄおよびビア電極ＶＨ３５ｂとにより、第２フィルタ回路の不平衡側インダクタＬ１ｂが構成される。
【０２００】
誘電体層１０６Ｔには、コイル電極６０１Ｅａ，６０１Ｅｂが形成されている。コイル電極６０１Ｅａの一方端は、ビア電極ＶＨ５６ａを介してコイル電極５０１Ｅａの他方端に接続されている。コイル電極６０１Ｅａは、平面視して、当該一方端を始点としてコイル電極５０１Ｅａと同じ方向に巻回する巻回形状に形成されている。コイル電極６０１Ｅａと、コイル電極５０１Ｅａおよびビア電極ＶＨ５６ａとにより、第１フィルタ回路の平衡側インダクタＬ４ａが構成される。
【０２０１】
コイル電極６０１Ｅｂの一方端は、ビア電極ＶＨ５６ｂを介してコイル電極５０１Ｅｂの他方端に接続されている。コイル電極６０１Ｅｂは、平面視して、当該一方端を始点としてコイル電極５０１Ｅｂと同じ方向に巻回する巻回形状に形成されている。コイル電極６０１Ｅｂと、コイル電極５０１Ｅｂおよびビア電極ＶＨ５６ｂとにより、第２フィルタ回路の平衡側インダクタＬ４ｂが構成される。
【０２０２】
誘電体層１０７Ｔには、平面視して略四角形の平板電極７０１Ｅａが形成されている。平板電極７０１Ｅａは、積層体１００Ｅを平面視して、誘電体層１０４Ｔのコイル電極４０１Ｅａ，４０１Ｅｂの形成領域と重なるような領域に形成されている。平板電極７０１Ｅａは、第１側面のＤＣフィード端子Ｐｄｃに接続されている。
【０２０３】
誘電体層１０８Ｔには、平面視してそれぞれが略四角形の平板電極８０１Ｅａ，８０１Ｅｂ，８０１Ｅｃが形成されている。平板電極８０１Ｅｃは、平板電極７０１Ｅａと積層方向に沿って対向するように形成されている。平板電極８０１Ｅｃは、第１側面のグランド端子ＧＮＤに接続されている。平板電極８０１Ｅｃ，７０１Ｅａおよび誘電体層１０７Ｔにより、ＤＣフィード用のキャパシタＣｇａ，Ｃｇｂが構成される。
【０２０４】
このような誘電体層１０７Ｔ，１０８Ｔの構成および誘電体層１０４Ｔのコイル電極４０１Ｅａ，４０１Ｅｂへのビア電極ＶＨ４７ａ，ＶＨ４７ｂの接続構成により、積層型フィルタ１０Ｅ内の異なるフィルタ回路を構成する平衡側インダクタＬ２ａ，Ｌ２ｂへのＤＣフィード回路が共通の構成で実現される。このため、積層型フィルタ１０Ｅを小型にできる。
【０２０５】
平板電極８０１Ｅａは、積層体１００Ｅを平面視した第１フィルタ回路の第１、第２平衡端子Ｐｂａ１，Ｐｂａ２側の領域に形成されている。平板電極８０１Ｅａは、グランド端子ＧＮＤを含む外部端子に接続しない浮き電極である。
【０２０６】
平板電極８０１Ｅｂは、積層体１００Ｅを平面視した第２フィルタ回路の第１、第２平衡端子Ｐｂｂ１，Ｐｂｂ２側の領域に形成されている。平板電極８０１Ｅｂは、グランド端子ＧＮＤを含む外部端子に接続しない浮き電極である。
【０２０７】
誘電体層１０９Ｔには、それぞれが所定の面積からなり、平面視して略四角形の平板電極９０１Ｅａ，９０１Ｅｂ，９０１Ｅｃ，９０１Ｅｄ，９０１Ｅｅ，９０１Ｅｆが形成されている。
【０２０８】
平板電極９０１Ｅｅは、積層体１００Ｅを平面視して、平板電極８０１Ｅｃと対向するように形成されている。これら平板電極９０１Ｅｅ，８０１Ｅｃおよび誘電体層１０８Ｔにより、第１フィルタ回路の不平衡側キャパシタＣ１ａが構成される。平板電極９０１Ｅｅは、第１側面の不平衡端子Ｐｕｎｂａに接続されている。
【０２０９】
平板電極９０１Ｅｆは、積層体１００Ｅを平面視して、平板電極８０１Ｅｃと対向するように形成されている。これら平板電極９０１Ｅｆ，８０１Ｅｃおよび誘電体層１０８Ｔにより、第２フィルタ回路の不平衡側キャパシタＣ１ｂが構成される。平板電極９０１Ｅｆは、第１側面の不平衡端子Ｐｕｎｂｂに接続されている。
【０２１０】
平板電極９０１Ｅａ，９０１Ｅｂは、それぞれ平板電極８０１Ｅａと積層方向に沿って対向するように形成されている。平板電極９０１Ｅｃ，Ｅｄは、それぞれ平板電極８０１Ｅｂと積層方向に沿って対向するように形成されている。
【０２１１】
誘電体層１１０Ｔには、平面視してそれぞれが略四角形の平板電極１００１Ｅａ，１００１Ｅｂが形成されている。平板電極１００１Ｅａは、積層体１００Ｅを平面視して、平板電極８０１Ｅａ，９０１Ｅａと対向するように形成されている。これら平板電極１００１Ｅａ，９０１Ｅａ，８０１Ｅａと誘電体層１０８Ｔ，１０９Ｔとにより、第１フィルタ回路の第１平衡側キャパシタＣ２ａが構成される。また、平板電極１００１Ｅａは、積層体１００Ｅを平面視して、平板電極８０１Ｅａ，９０１Ｅｂと対向するように形成されている。これら平板電極１００１Ｅａ，９０１Ｅｂ，８０１Ｅａと誘電体層１０８Ｔ，１０９Ｔとにより、第１フィルタ回路の第２平衡側キャパシタＣ３ａが構成される。
【０２１２】
平板電極１００１Ｅｂは、積層体１００Ｅを平面視して、平板電極９０１Ｅｃ，９０１Ｅｄと対向するように形成されている。
【０２１３】
誘電体層１１１Ｔには、平面視してそれぞれが略四角形の平板電極１１０１Ｅａ，１１０１Ｅｂが形成されている。平板電極１１０１Ｅａは、積層体１００Ｅを平面視して、平板電極８０１Ｅｂ，９０１Ｅｃ，１００１Ｅｂと対向するように形成されている。これら平板電極１１０１Ｅａ，１００１Ｅｂ，９０１Ｅｃ，８０１Ｅｂと誘電体層１０８Ｔ，１０９Ｔ，１１０Ｔとにより、第２フィルタ回路の第２平衡側キャパシタＣ３ｂが構成される。
【０２１４】
平板電極１１０１Ｅｂは、積層体１００Ｅを平面視して、平板電極８０１Ｅｂ，９０１Ｅｄ，１００１Ｅｂと対向するように形成されている。これら平板電極１１０１Ｅｂ，１００１Ｅｂ，９０１Ｅｄ，８０１Ｅｂと誘電体層１０８Ｔ，１０９Ｔ，１１０Ｔとにより、第２フィルタ回路の第１平衡側キャパシタＣ２ｂが構成される。
【０２１５】
このような構成であっても、上述の各実施形態と同様に、安定したバランス特性の積層型フィルタを実現することができる。
【０２１６】
次に、第７の実施形態に係る積層型フィルタについて、図を参照して説明する。図１７は、本実施形態に係る積層型フィルタ１０Ｆの回路図である。図１７に示すように、回路構成としては、本実施形態の積層型フィルタ１０Ｆは、第５の実施形態に示した積層型フィルタ１０Ｄに対して、第１フィルタ回路の不平衡端子Ｐｕｎｂａと不平衡側インダクタＬ１ａおよび不平衡側キャパシタＣ１ａの共振回路との間に、キャパシタＣ０ａを直列接続し、第２フィルタ回路の不平衡端子Ｐｕｎｂｂと不平衡側インダクタＬ１ｂおよび不平衡側キャパシタＣ１ｂの共振回路との間に、キャパシタＣ０ｂを直列接続したものである。したがって、他の回路構成の説明は省略する。
【０２１７】
図１８は本実施形態に係る積層型フィルタ１０Ｆの外観斜視図である。図１９は本実施形態に係る積層型フィルタ１０Ｆの分解斜視図である。
【０２１８】
積層型フィルタ１０Ｆは、１５層の誘電体層１０１Ｔ−１１５Ｔを順次積層した積層体１００Ｆによって実現される。
【０２１９】
積層体１００Ｆは、図１８に示すように、外形形状が略直方体形状からなる。積層体１００Ｆの第１側面には、第１フィルタ回路の不平衡端子用の外部電極（以下、不平衡端子Ｐｕｎｂａと称する。）、グランド電極（以下、グランド端子ＧＮＤと称する。）、および第２フィルタ回路の不平衡端子用の外部電極（以下、不平衡端子Ｐｕｎｂｂと称する。）が、この順で配列形成されている。
【０２２０】
前記第１側面に対向する積層体１００Ｆの第２側面には、第１フィルタ回路の第１、第２平衡端子用の外部電極（以下、第１平衡端子Ｐｂａ１、第２平衡端子Ｐｂａ２と称する。）、第２フィルタ回路の第２、第１平衡端子用の外部電極（以下、第２平衡端子Ｐｂｂ２、第１平衡端子Ｐｂｂ１と称する。）がこの順で配列形成されている。この際、第１フィルタ回路の不平衡端子Ｐｕｎｂａと第１平衡端子Ｐｂａ１とが対向するように配置されている。
【０２２１】
第１側面および第２側面に直交し、第１フィルタ回路側となる第３側面には接続用電極Ｓｅａ１，Ｓｅａ２が配列形成されている。第１側面および第２側面に直交し、第２フィルタ回路側となる第４側面には接続用電極Ｓｅｂ１，Ｓｅｂ２が配列形成されている。上述の各実施形態と同様に、以下の各誘電体層の説明では、内層電極との接続関係を除き、これら外部端子の形成位置および形状の説明は省略する。
【０２２２】
積層体１００Ｆの最上層となる誘電体層１０１Ｔには、上記外部端子の電極パターンのみが形成されている。なお、図示しないが、誘電体層１０１Ｔの天面、すなわち積層体１００Ｆの天面に、実装方向を定義するためのマーキング電極が形成されている。
【０２２３】
誘電体層１０２Ｔには、平面視して略四角形の平板電極２０１Ｆａが形成されている。平板電極２０１Ｆａは、積層体１００Ｆを平面視して、第１フィルタ回路側の第１、第２平衡端子Ｐｂａ１，Ｐｂａ２側の領域に形成されている。平板電極２０１Ｆａは、第１側面の第２フィルタ回路の第１平衡端子Ｐｂａ１に接続されている。
【０２２４】
誘電体層１０３Ｔには、平面視してそれぞれが略四角形の平板電極３０１Ｆａ，３０１Ｆｂが形成されている。平板電極３０１Ｆａは、平板電極２０１Ｆａと積層方向に沿って対向するように形成されている。平板電極３０１Ｆａは、第３側面の接続用電極Ｓｅａ１に接続されている。
【０２２５】
平板電極３０１Ｆｂは、積層体１００Ｆを平面視して、第２フィルタ回路側の第１、第２平衡端子Ｐｂｂ１，Ｐｂｂ２側の領域に形成されている。平板電極３０１Ｆｂは、第４側面の接続用電極Ｓｅｂ１に接続されている。
【０２２６】
誘電体層１０４Ｔには、平面視してそれぞれが略四角形の平板電極４０１Ｆａ，４０１Ｆｂが形成されている。平板電極４０１Ｆａは、平板電極３０１Ｆａと積層方向に沿って対向するように形成されている。平板電極４０１Ｆａは、第２側面の第１フィルタ回路の第１平衡端子Ｐｂａ１に接続されている。
【０２２７】
平板電極４０１Ｆａ，３０１Ｆａ，２０１Ｆａと誘電体層１０２Ｔ，１０３Ｔとにより、第１フィルタ回路の第１平衡側キャパシタＣ２ａが構成される。
【０２２８】
平板電極４０１Ｆｂは、平板電極３０１Ｆｂと積層方向に沿って対向するように形成されている。平板電極４０１Ｆｂは、第２側面の第２フィルタ回路の第１平衡端子Ｐｂｂ１に接続されている。平板電極４０１Ｆｂ，３０１Ｆｂと誘電体層１０３Ｔとにより、第２フィルタ回路の第１平衡側キャパシタＣ２ｂが構成される。
【０２２９】
誘電体層１０５Ｔには、第１フィルタ回路側の領域内に、コイル電極５０１Ｆａが形成されている。コイル電極５０１Ｆａの一方端は、第２側面の第１フィルタ回路の第１平衡端子Ｐｂａ１に接続されている。コイル電極５０１Ｆａは、当該一方端を始点として平面視して所定の方向に巻回する巻回形に形成されている。コイル電極５０１Ｆａの他方端は、ビア電極ＶＨ５６ａを介して、誘電体層１０６Ｔのコイル電極６０１Ｆａの一方端に接続されている。
【０２３０】
誘電体層１０６Ｔには、第１フィルタ回路側の領域にコイル電極６０１Ｆａが形成され、第２フィルタ回路側の領域にコイル電極６０１Ｆｂが形成されている。
【０２３１】
コイル電極６０１Ｆａの一方端は、ビア電極ＶＨ５６ａを介してコイル電極５０１Ｆａに接続されている。コイル電極６０１Ｆａは、当該一方端を始点として、コイル電極５０１Ｆａと同じ方向に巻回する巻回形に形成されている。コイル電極６０１Ｆａの他方端は、ビア電極ＶＨ６７ａを介して、誘電体層１０７Ｔのコイル電極７０１Ｆａの一方端に接続されている。
【０２３２】
コイル電極６０１Ｆｂの一方端は、第２側面の第２フィルタ回路の第１平衡端子Ｐｂｂ１に接続されている。コイル電極６０１Ｆｂは、コイル電極６０１Ｆａと逆方向で巻回する巻回形に形成されている。コイル電極６０１Ｆｂの他方端は、ビア電極ＶＨ６７ｂを介して、誘電体層１０７Ｔのコイル電極７０１Ｆｂの一方端に接続されている。
【０２３３】
誘電体層１０７Ｔには、第１フィルタ回路側の領域にコイル電極７０１Ｆａ，７０１Ｆｃが形成され、第２フィルタ回路側の領域にコイル電極７０１Ｆｂ，７０１Ｆｄが形成されている。
【０２３４】
コイル電極７０１Ｆａの一方端は、ビア電極ＶＨ６７ａを介してコイル電極６０１Ｆａの他方端に接続されている。コイル電極７０１Ｆａは、当該一方端を始点として、コイル電極６０１Ｆａと同じ方向に巻回する巻回形に形成されている。コイル電極７０１Ｆａ，６０１Ｆａ，５０１Ｆａとビア電極ＶＨ５６ａ，ＶＨ６７ａにより、第１フィルタ回路の平衡側インダクタＬ３ａが構成される。コイル電極７０１Ｆａの他方端は、ビア電極ＶＨ７８ａを介して、誘電体層１０８Ｔのコイル電極８０１Ｆａの一方端に接続されている。
【０２３５】
コイル電極７０１Ｆｂの一方端は、ビア電極ＶＨ６７ｂを介してコイル電極６０１Ｆｂの他方端に接続されている。コイル電極７０１Ｆｂは、当該一方端を始点として、コイル電極６０１Ｆｂと同じ方向に巻回する巻回形に形成されている。コイル電極７０１Ｆｂ，６０１Ｆｂとビア電極ＶＨ６７ｂとにより、第２フィルタ回路の平衡側インダクタＬ３ｂが構成される。コイル電極７０１Ｆｂの他方端は、ビア電極ＶＨ７８ｂを介して、誘電体層１０８Ｔのコイル電極８０１Ｆｂの一方端に接続されている。
【０２３６】
コイル電極７０１Ｆｃは、平面視して、コイル電極７０１Ｆａよりも第１側面側、すなわち第１フィルタ回路の不平衡端子Ｐｕｎｂａ側に形成されている。コイル電極７０１Ｆｃは、一方端が第３側面の接続用電極Ｓｅａ２に接続されている。コイル電極７０１Ｆｃは、当該一方端を始点として巻回形に形成されている。コイル電極７０１Ｆｃの他方端は、ビア電極ＶＨ７９ａを介して、誘電体層１０９Ｔのコイル電極９０１Ｆｃの一方端に接続されている。
【０２３７】
コイル電極７０１Ｆｄは、平面視して、コイル電極７０１Ｆｂよりも第１側面側、すなわち第２フィルタ回路の不平衡端子Ｐｕｎｂｂ側に形成されている。コイル電極７０１Ｆｄは、一方端が第４側面の接続用電極Ｓｅｂ２に接続されている。コイル電極７０１Ｆｄは、当該一方端を始点としてコイル電極７０１Ｆｃと逆方向の巻回形に形成されている。コイル電極７０１Ｆｄの他方端は、ビア電極ＶＨ７９ｂを介して、誘電体層１０９Ｔのコイル電極９０１Ｆｄの一方端に接続されている。
【０２３８】
誘電体層１０８Ｔには、第１フィルタ回路側の領域にコイル電極８０１Ｆａが形成され、第２フィルタ回路側の領域にコイル電極８０１Ｆｂが形成されている。
【０２３９】
コイル電極８０１Ｆａの一方端は、ビア電極ＶＨ７８ａを介して、コイル電極７０１Ｆａの他方端に接続されている。コイル電極８０１Ｆａは、当該一方端を始点とする巻回形に形成されている。この際、コイル電極８０１Ｆａは、平面視してコイル電極７０１Ｆｃと少なくとも部分的に重なり合い、コイル電極７０１Ｆｃと電磁界結合する形状で形成されている。コイル電極８０１Ｆａの他方端は、ビア電極ＶＨ８９ａを介して、誘電体層１０９Ｔのコイル電極９０１Ｆａの一方端に接続されている。コイル電極８０１Ｆａが第１フィルタ回路の平衡側インダクタＬ２ａとなる。
【０２４０】
コイル電極８０１Ｆｂの一方端は、ビア電極ＶＨ７８ｂを介して、コイル電極７０１Ｆｂの他方端に接続されている。コイル電極８０１Ｆｂは、当該一方端を始点とする巻回形に形成されている。この際、コイル電極８０１Ｆｂは、平面視してコイル電極７０１Ｆｄと少なくとも部分的に重なり合い、コイル電極７０１Ｆｄと電磁界結合する形状で形成されている。コイル電極８０１Ｆｂの他方端は、ビア電極ＶＨ８９ｂを介して、誘電体層１０９Ｔのコイル電極９０１Ｆｂの一方端に接続されている。コイル電極８０１Ｆｂが第２フィルタ回路の平衡側インダクタＬ２ｂとなる。
【０２４１】
誘電体層１０９Ｔには、第１フィルタ回路側の領域にコイル電極９０１Ｆａ，９０１Ｆｃが形成され、第２フィルタ回路側の領域にコイル電極９０１Ｆｂ，９０１Ｆｄが形成されている。
【０２４２】
コイル電極９０１Ｆｃの一方端は、ビア電極ＶＨ７９ａを介してコイル電極７０１Ｆｃの他方端に接続されている。コイル電極９０１Ｆｃは、当該一方端を始点としてコイル電極７０１Ｆｃと同じ方向に巻回する巻回形に形成されている。この際、コイル電極９０１Ｆｃとコイル電極７０１Ｆｃとは、それぞれの形成領域が平面視して略重なるように形成されている。コイル電極９０１Ｆｃ，７０１Ｆｃおよびビア電極ＶＨ７９ａにより、第１フィルタ回路の不平衡側インダクタＬ１ａが構成される。コイル電極９０１Ｆｃの他方端は、第１側面のグランド端子ＧＮＤに接続されている。
【０２４３】
コイル電極９０１Ｆｂの一方端は、ビア電極ＶＨ７９ｂを介して、コイル電極７０１Ｆｄの他方端に接続されている。コイル電極９０１Ｆｄは、一方端を始点としてコイル電極７０１Ｆｄと同じ方向に巻回する巻回形に形成されている。この際、コイル電極７０１Ｆｄとコイル電極９０１Ｆｄとは、それぞれの形成領域が平面視して略重なるように形成されている。コイル電極９０１Ｆｄ，７０１Ｆｄおよびビア電極ＶＨ７９ｂにより、第２フィルタ回路の不平衡側インダクタＬ１ｂが構成されている。コイル電極９０１Ｆｄの他方端は、第１側面のグランド端子ＧＮＤに接続されている。
【０２４４】
コイル電極９０１Ｆａの一方端は、ビア電極ＶＨ８９ａを介して、コイル電極８０１Ｆａの他方端に接続されている。コイル電極９０１Ｆａは、コイル電極９０１Ｆｃに対して第２側面側の領域に形成されており、当該一方端を始点としてコイル電極７０１Ｆａと同じ方向に巻回する巻回形に形成されている。コイル電極９０１Ｆａの他方端は、ビア電極ＶＨ９１０ａを介して、誘電体層１１０Ｔのコイル電極１００１Ｆａの一方端に接続されている。
【０２４５】
コイル電極９０１Ｆｂの一方端は、ビア電極ＶＨ８９ｂを介して、コイル電極８０１Ｆｂの他方端に接続されている。コイル電極９０１Ｆｂは、コイル電極９０１Ｆｄに対して第２側面側の領域に形成されており、当該一方端を始点としてコイル電極７０１Ｆｂと同じ方向に巻回する巻回形に形成されている。コイル電極９０１Ｆｂの他方端は、ビア電極ＶＨ９１０ｂを介して、誘電体層１１０Ｔのコイル電極１００１Ｆｂの一方端に接続されている。
【０２４６】
誘電体層１１０Ｔには、第１フィルタ回路側の領域にコイル電極１００１Ｆａが形成され、第２フィルタ回路側の領域にコイル電極１００１Ｆｂが形成されている。コイル電極１００１Ｆａの一方端は、ビア電極ＶＨ９１０ａを介してコイル電極９０１Ｆａの他方端に接続されている。コイル電極１００１Ｆａは、当該一方端を始点としてコイル電極９０１Ｆａと同じ方向に巻回する巻回形に形成されている。コイル電極１００１Ｆａの他方端は、ビア電極ＶＨ１０１１ａを介して、誘電体層１１１Ｔのコイル電極１１０１Ｆａの一方端に接続されている。
【０２４７】
コイル電極１００１Ｆｂの一方端は、ビア電極ＶＨ９１０ｂを介してコイル電極９０１Ｆｂの他方端に接続されている。コイル電極１００１Ｆｂは、当該一方端を始点としてコイル電極９０１Ｆｂと同じ方向に巻回する巻回形に形成されている。コイル電極１００１Ｆｂ，９０１Ｆｂとビア電極ＶＨ９１０ｂとにより、第２フィルタ回路の平衡側インダクタＬ４ｂが構成される。コイル電極１００１Ｆｂの他方端は、第２側面の第２フィルタ回路の第２平衡端子Ｐｂｂ２に接続されている。
【０２４８】
誘電体層１１１Ｔには、第１フィルタ回路側の領域にコイル電極１１０１Ｆａが形成されている。コイル電極１１０１Ｆａの一方端は、ビア電極ＶＨ１０１１ａを介してコイル電極１００１Ｆａの他方端に接続されている。コイル電極１１０１Ｆａは、当該一方端を始点としてコイル電極１００１Ｆａと同じ方向に巻回する巻回形に形成されている。コイル電極１１０１Ｆａ，１００１Ｆａ，９０１Ｆａとビア電極ＶＨ９１０ａ，ＶＨ１０１１ａとにより、第１フィルタ回路の平衡側インダクタＬ４ａが構成される。コイル電極１１０１Ｆａの他方端は、第２側面の第１フィルタ回路の第２平衡端子Ｐｂａ２に接続されている。
【０２４９】
誘電体層１１２Ｔには、それぞれが所定の面積からなり、平面視して略四角形の平板電極１２０１Ｆａ，１２０１Ｆｂ，１２０１Ｆｃ，１２０１Ｆｄが形成されている。
【０２５０】
平板電極１２０１Ｆｃは、積層体１００Ｆを平面視した第１フィルタ回路の不平衡端子Ｐｕｎｂａ側の領域に形成されている。すなわち、平板電極１２０１Ｆｃは、積層体１００Ｆを平面視して、コイル電極７０１Ｆｃ，９０１Ｆｃの形成領域と重なるように形成されている。平板電極１２０１Ｆｃは、第１側面のグランド端子ＧＮＤに接続されている。
【０２５１】
平板電極１２０１Ｆｄは、積層体１００Ｆを平面視した第２フィルタ回路の不平衡端子Ｐｕｎｂｂ側の領域に形成されている。すなわち、平板電極１２０１Ｆｄは、積層体１００Ｆを平面視して、コイル電極７０１Ｆｄ，９０１Ｆｄの形成領域と重なるように形成されている。平板電極１２０１Ｆｄは、第１側面のグランド端子ＧＮＤに接続されている。
【０２５２】
平板電極１２０１Ｆａは、積層体１００Ｆを平面視した第１フィルタ回路の第１、第２平衡端子Ｐｂａ１，Ｐｂａ２側の領域に形成されている。すなわち、平板電極１２０１Ｆａは、積層体１００Ｆを平面視して、コイル電極９０１Ｆａ，１００１Ｆａ，１１０１Ｆａの形成領域と重なるように形成されている。平板電極１２０１Ｆａは、第２側面の第１フィルタ回路の第２平衡端子Ｐｂａ２に接続されている。
【０２５３】
平板電極１２０１Ｆｂは、積層体１００Ｆを平面視した第２フィルタ回路の第１、第２平衡端子Ｐｂｂ１，Ｐｂｂ２側の領域に形成されている。すなわち、平板電極１２０１Ｆｂは、積層体１００Ｆを平面視して、コイル電極９０１Ｆｂ，１００１Ｆｂの形成領域と重なるように形成されている。平板電極１２０１Ｆｂは、第２側面の第２フィルタ回路の第２平衡端子Ｐｂｂ２に接続されている。
【０２５４】
誘電体層１１３Ｔには、それぞれが所定の面積からなり、平面視して略四角形の平板電極１３０１Ｆａ，１３０１Ｆｂ，１３０１Ｆｃ，１３０１Ｆｄが形成されている。
【０２５５】
平板電極１３０１Ｆｃは、平板電極１２０１Ｆｃと積層方向に沿って対向するように、形成されている。平板電極１３０１Ｆｃ，１２０１Ｆｃと誘電体層１１２Ｔとにより、第１フィルタ回路の不平衡側キャパシタＣ１ａが構成される。平板電極１３０１Ｆｃは、第３側面の接続用電極Ｓｅａ２に接続されている。
【０２５６】
平板電極１３０１Ｆｄは、平板電極１２０１Ｆｄと積層方向に沿って対向するように、形成されている。平板電極１３０１Ｆｄ，１２０１Ｆｄと誘電体層１１２Ｔとにより、第２フィルタ回路の不平衡側キャパシタＣ１ｂが構成される。平板電極１３０１Ｆｄは、第４側面の接続用電極Ｓｅｂ２に接続されている。
【０２５７】
平板電極１３０１Ｆａは、平板電極１２０１Ｆａと積層方向に沿って対向するように、形成されている。平板電極１３０１Ｆａは、第３側面の接続用電極Ｓｅａ１に接続されている。
【０２５８】
平板電極１３０１Ｆｂは、平板電極１２０１Ｆｂと積層方向に沿って対向するように、形成されている。平板電極１３０１Ｆｂは、第４側面の接続用電極Ｓｅｂ１に接続されている。平板電極１３０１Ｆｂ，１２０１Ｆｂと誘電体層１１２Ｔとにより、第２フィルタ回路の第２平衡側キャパシタＣ３ｂが構成される。
【０２５９】
誘電体層１１４Ｔには、それぞれが所定の面積からなり、平面視して略四角形の平板電極１４０１Ｆａ，１４０１Ｆｃ，１４０１Ｆｄが形成されている。
【０２６０】
平板電極１４０１Ｆａは、平板電極１３０１Ｆａと積層方向に沿って対向するように、形成されている。平板電極１４０１Ｆａ，１３０１Ｆａ，１２０１Ｆａと誘電体層１１２Ｔ，１１３Ｔとにより、第１フィルタ回路の第２平衡側キャパシタＣ３ａが構成される。平板電極１４０１Ｆａは、第２側面の第１フィルタ回路の第２平衡端子Ｐｂａ２に接続されている。
【０２６１】
平板電極１４０１Ｆｃは、平板電極１３０１Ｆｃと積層方向に沿って対向するように、形成されている。平板電極１４０１Ｆｃは、第１側面の第１フィルタ回路の不平衡端子Ｐｕｎｂａに接続されている。
【０２６２】
平板電極１４０１Ｆｄは、平板電極１３０１Ｆｄと積層方向に沿って対向するように、形成されている。平板電極１４０１Ｆｄ，１３０１Ｆｄと誘電体層１１３Ｔとにより、第２フィルタ回路のキャパシタＣ０ｂが構成される。
【０２６３】
誘電体層１１５Ｔには、所定の面積からなり、平面視して略四角形の平板電極１５０１Ｆｃが形成されている。平板電極１５０１Ｆｃは、平板電極１４０１Ｆｃと積層方向に沿って対向するように形成されている。平板電極１５０１Ｆｃ，１４０１Ｆｃ，１３０１Ｆｃと誘電体層１１３Ｔ，１１４Ｔとにより、第１フィルタ回路のキャパシタＣ０ａが構成される。
【０２６４】
このように、本実施形態の構成であっても、上述の各実施形態と同様に、安定した位相バランスの積層型フィルタを実現することができる。さらに、不平衡端子にキャパシタが直列接続されることで、不平衡端子側からの不要な直流信号の入力を抑制することができる。
【０２６５】
次に、第８の実施形態に係る積層型フィルタについて、図を参照して説明する。図２０は、本実施形態に係る積層型フィルタ１０Ｇの回路図である。図２０に示すように、本実施形態の積層型フィルタ１０Ｇは、第７の実施形態に示した積層型フィルタ１０Ｆに対して、さらに、各平衡端子Ｐｂａ１，Ｐｂａ２，Ｐｂｂ１，Ｐｂｂ２に直列接続するキャパシタＣ４ａ，Ｃ５ａ，Ｃ４ｂ，Ｃ５ｂを備えたものであり、他の回路構成は同じである。したがって、より詳細な回路説明は省略する。また、本実施形態の積層型フィルタ１０Ｇは、第７の実施形態に示した積層型フィルタ１０Ｆと外部端子の構成が同じであるので、この点についても説明を省略する。
【０２６６】
図２１は、本実施形態に係る積層型フィルタ１０Ｇの分解斜視図である。積層体１００Ｇの最上層となる誘電体層１０１Ｔには、上記外部端子の電極パターンのみが形成されている。なお、図示しないが、誘電体層１０１Ｔの天面、すなわち積層体１００Ｇの天面に、実装方向を定義するためのマーキング電極が形成されている。
【０２６７】
誘電体層１０２Ｔには、平面視して略四角形の平板電極２０１Ｇａ，２０１Ｇｂが形成されている。平板電極２０１Ｇａは、積層体１００Ｇを平面視して、第１フィルタ回路側の第１、第２平衡端子Ｐｂａ１，Ｐｂａ２側の領域に形成されている。平板電極２０１Ｇａは、第３側面の接続用電極Ｓｅａ１に接続されている。
【０２６８】
平板電極２０１Ｇｂは、積層体１００Ｇを平面視して、第２フィルタ回路側の第１、第２平衡端子Ｐｂｂ１，Ｐｂｂ２側の領域に形成されている。平板電極２０１Ｇｂは、第４側面の接続用電極Ｓｅｂ１に接続されている。
【０２６９】
誘電体層１０３Ｔには、平面視して略四角形の平板電極３０１Ｇａ，３０１Ｇｂが形成されている。平板電極３０１Ｇａは、外部端子に直接接続しない浮き電極であり、平板電極２０１Ｇａと積層方向に沿って対向するように形成されている。平板電極３０１Ｇａは、ビア電極ＶＨ３５ａを介して、誘電体層１０５Ｔの平板電極５０１Ｇａに接続されている。
【０２７０】
平板電極３０１Ｇｂは、外部端子に直接接続しない浮き電極であり、平板電極２０１Ｇｂと積層方向に沿って対向するに形成されている。平板電極３０１Ｇｂは、ビア電極ＶＨ３５ｂを介して、誘電体層１０５Ｔの平板電極５０１Ｇｂに接続されている。
【０２７１】
誘電体層１０４Ｔには、平面視して略四角形の平板電極４０１Ｇａ，４０１Ｇｂが形成されている。平板電極４０１Ｇａは、平板電極３０１Ｇａと積層方向に沿って対向するように形成されている。平板電極４０１Ｇａは、第２側面の第１フィルタ回路の第１平衡端子Ｐｂａ１に接続されている。平板電極４０１Ｇａ，３０１Ｇａ，２０１Ｇａと誘電体層１０２Ｔ，１０３Ｔとにより、第１フィルタ回路の第１平衡側キャパシタＣ２ａが構成される。
【０２７２】
平板電極４０１Ｇｂは、平板電極３０１Ｇｂと積層方向に沿って対向するように形成されている。平板電極４０１Ｇｂは、第２側面の第２フィルタ回路の第１平衡端子Ｐｂｂ１に接続されている。平板電極４０１Ｇｂ，３０１Ｇｂ，２０１Ｇｂと誘電体層１０２Ｔ，１０３Ｔとにより、第２フィルタ回路の第１平衡側キャパシタＣ２ｂが構成される。
【０２７３】
誘電体層１０５Ｔには、外部端子に直接接続しない浮き電極であり、平面視して略四角形の平板電極５０１Ｇａ，５０１Ｇｂが形成されている。平板電極５０１Ｇａは、平板電極４０１Ｇａ，３０１Ｇａと積層方向に沿って対向するように形成されている。平板電極５０１Ｇａは、ビア電極ＶＨ３５ａを介して平板電極３０１Ｇａに接続されるとともに、ビア電極ＶＨ５６ａを介して誘電体層１０６Ｔのコイル電極６０１Ｇａの一方端に接続されている。平板電極５０１Ｇａ，４０１Ｇａと誘電体層１０４Ｔとにより、第１フィルタ回路のキャパシタＣ４ａが構成される。
【０２７４】
平板電極５０１Ｇｂは、平板電極４０１Ｇｂ，３０１Ｇｂと積層方向に沿って対向するように形成されている。平板電極５０１Ｇｂは、ビア電極ＶＨ３５ｂを介して平板電極３０１Ｇｂに接続されるとともに、ビア電極ＶＨ５６ｂを介して誘電体層１０６Ｔのコイル電極６０１Ｇｂの一方端に接続されている。平板電極５０１Ｇｂ，４０１Ｇｂと誘電体層１０４Ｔとにより、第２フィルタ回路のキャパシタＣ４ｂが構成される。
【０２７５】
誘電体層１０６Ｔには、第１フィルタ回路側の領域にコイル電極６０１Ｇａが形成され、第２フィルタ回路側の領域にコイル電極６０１Ｇｂが形成されている。コイル電極６０１Ｇａは、第１フィルタ回路の第１、第２平衡端子Ｐｂａ１，Ｐｂａ２側に形成されている。コイル電極６０１Ｇａの一方端は、ビア電極ＶＨ５６ａを介して、平板電極５０１Ｇａに接続されている。コイル電極６０１Ｇａは、当該一方端を始点として所定方向に巻回する巻回形に形成されている。コイル電極６０１Ｇａの他方端は、ビア電極ＶＨ６７ａを介して、誘電体層１０７Ｔのコイル電極７０１Ｇａに接続されている。
【０２７６】
コイル電極６０１Ｇｂは、第２フィルタ回路の第１、第２平衡端子Ｐｂｂ１，Ｐｂｂ２側に形成されている。コイル電極６０１Ｇｂの一方端は、ビア電極ＶＨ５６ｂを介して、平板電極５０１Ｇｂに接続されている。コイル電極６０１Ｇｂは、当該一方端を始点としてコイル電極６０１Ｇａと逆に巻回する巻回形に形成されている。コイル電極６０１Ｇｂの他方端は、ビア電極ＶＨ６７ｂを介して、誘電体層１０７Ｔのコイル電極７０１Ｇｂに接続されている。
【０２７７】
誘電体層１０７Ｔには、第１フィルタ回路側の領域にコイル電極７０１Ｇａ，７０１Ｇｃが形成され、第２フィルタ回路側の領域にコイル電極７０１Ｇｂ，７０１Ｇｄが形成されている。
【０２７８】
コイル電極７０１Ｇａの一方端は、ビア電極ＶＨ６７ａを介してコイル電極６０１Ｇａの他方端に接続されている。コイル電極７０１Ｇａは、当該一方端を始点として、コイル電極６０１Ｇａと同じ方向に巻回する巻回形に形成されている。コイル電極７０１Ｇａ，６０１Ｇａとビア電極ＶＨ６７ａにより、第１フィルタ回路の平衡側インダクタＬ３ａが構成される。コイル電極７０１Ｇａの他方端は、ビア電極ＶＨ７８ａを介して、誘電体層１０８Ｔのコイル電極８０１Ｇａの一方端に接続されている。
【０２７９】
コイル電極７０１Ｇｂの一方端は、ビア電極ＶＨ６７ｂを介してコイル電極６０１Ｇｂの他方端に接続されている。コイル電極７０１Ｇｂは、当該一方端を始点として、コイル電極６０１Ｇｂと同じ方向に巻回する巻回形に形成されている。コイル電極７０１Ｇｂ，６０１Ｇｂとビア電極ＶＨ６７ｂとにより、第２フィルタ回路の平衡側インダクタＬ３ｂが構成される。コイル電極７０１Ｇｂの他方端は、ビア電極ＶＨ７８ｂを介して、誘電体層１０８Ｔのコイル電極８０１Ｇｂの一方端に接続されている。
【０２８０】
コイル電極７０１Ｇｃは、平面視して、コイル電極７０１Ｇａよりも第１側面側、すなわち第１フィルタ回路の不平衡端子Ｐｕｎｂａ側に形成されている。コイル電極７０１Ｇｃは、一方端が第３側面の接続用電極Ｓｅａ２に接続されている。コイル電極７０１Ｇｃは、当該一方端を始点として巻回形に形成されている。コイル電極７０１Ｇｃの他方端は、ビア電極ＶＨ７９ａを介して、誘電体層１０９Ｔのコイル電極９０１Ｇｃの一方端に接続されている。
【０２８１】
コイル電極７０１Ｇｄは、平面視して、コイル電極７０１Ｇｂよりも第１側面側、すなわち第２フィルタ回路の不平衡端子Ｐｕｎｂｂ側に形成されている。コイル電極７０１Ｇｄは、一方端が第４側面の接続用電極Ｓｅｂ２に接続されている。コイル電極７０１Ｇｄは、当該一方端を始点としてコイル電極７０１Ｇｃと逆方向の巻回形に形成されている。コイル電極７０１Ｇｄの他方端は、ビア電極ＶＨ７９ｂを介して、誘電体層１０９Ｔのコイル電極９０１Ｇｄの一方端に接続されている。
【０２８２】
誘電体層１０８Ｔには、第１フィルタ回路側の領域にコイル電極８０１Ｇａが形成され、第２フィルタ回路側の領域にコイル電極８０１Ｇｂが形成されている。
【０２８３】
コイル電極８０１Ｇａの一方端は、ビア電極ＶＨ７８ａを介して、コイル電極７０１Ｇａの他方端に接続されている。コイル電極８０１Ｇａは、当該一方端を始点とする巻回形に形成されている。この際、コイル電極８０１Ｇａは、平面視してコイル電極７０１Ｇｃと少なくとも部分的に重なり合い、コイル電極７０１Ｇｃと電磁界結合する形状で形成されている。コイル電極８０１Ｇａの他方端は、ビア電極ＶＨ８９ａを介して、誘電体層１０９Ｔのコイル電極９０１Ｇａの一方端に接続されている。コイル電極８０１Ｇａが第１フィルタ回路の平衡側インダクタＬ２ａとなる。
【０２８４】
コイル電極８０１Ｇｂの一方端は、ビア電極ＶＨ７８ｂを介して、コイル電極７０１Ｇｂの他方端に接続されている。コイル電極８０１Ｇｂは、当該一方端を始点とする巻回形に形成されている。この際、コイル電極８０１Ｇｂは、平面視してコイル電極７０１Ｇｄと少なくとも部分的に重なり合い、コイル電極７０１Ｇｄと電磁界結合する形状で形成されている。コイル電極８０１Ｇｂの他方端は、ビア電極ＶＨ８９ｂを介して、誘電体層１０９Ｔのコイル電極９０１Ｇｂの一方端に接続されている。コイル電極８０１Ｇｂが第２フィルタ回路の平衡側インダクタＬ２ｂとなる。
【０２８５】
誘電体層１０９Ｔには、第１フィルタ回路側の領域にコイル電極９０１Ｇａ，９０１Ｇｃが形成され、第２フィルタ回路側の領域にコイル電極９０１Ｇｂ，９０１Ｇｄが形成されている。
【０２８６】
コイル電極９０１Ｇｃの一方端は、ビア電極ＶＨ７９ａを介してコイル電極７０１Ｇｃの他方端に接続されている。コイル電極９０１Ｇｃは、当該一方端を始点としてコイル電極７０１Ｇｃと同じ方向に巻回する巻回形に形成されている。この際、コイル電極９０１Ｇａとコイル電極７０１Ｇｃとは、それぞれの形成領域が平面視して略重なるように形成されている。コイル電極９０１Ｇｃ，７０１Ｇｃおよびビア電極ＶＨ７９ａにより、第１フィルタ回路の不平衡側インダクタＬ１ａが構成される。コイル電極９０１Ｇｃの他方端は、第１側面のグランド端子ＧＮＤに接続されている。
【０２８７】
コイル電極９０１Ｇａの一方端は、ビア電極ＶＨ８９ａを介して、コイル電極８０１Ｇａの他方端に接続されている。コイル電極９０１Ｇａは、コイル電極９０１Ｇｃに対して第２側面側の領域に形成されており、当該一方端を始点としてコイル電極７０１Ｇａと同じ方向に巻回する巻回形に形成されている。コイル電極９０１Ｇａの他方端は、ビア電極ＶＨ９１０ａを介して、誘電体層１１０Ｔのコイル電極１００１Ｇａの一方端に接続されている。
【０２８８】
コイル電極９０１Ｇｂの一方端は、ビア電極ＶＨ８９ｂを介して、コイル電極８０１Ｇｂの他方端に接続されている。コイル電極９０１Ｇｂは、コイル電極９０１Ｇｄに対して第２側面側の領域に形成されており、当該一方端を始点としてコイル電極７０１Ｇｂと同じ方向に巻回する巻回形に形成されている。コイル電極９０１Ｇｂの他方端は、ビア電極ＶＨ９１０ｂを介して、誘電体層１１０Ｔのコイル電極１００１Ｇｂの一方端に接続されている。
【０２８９】
誘電体層１１０Ｔには、第１フィルタ回路側の領域にコイル電極１００１Ｇａが形成され、第２フィルタ回路側の領域にコイル電極１００１Ｇｂが形成されている。コイル電極１００１Ｇａの一方端は、ビア電極ＶＨ９１０ａを介してコイル電極９０１Ｇａの他方端に接続されている。コイル電極１００１Ｇａは、当該一方端を始点としてコイル電極９０１Ｇａと同じ方向に巻回する巻回形に形成されている。コイル電極１００１Ｇａ，９０１Ｇａとビア電極ＶＨ９１０ａとにより、第１フィルタ回路の平衡側インダクタＬ４ａが構成される。コイル電極１００１Ｇａの他方端は、ビア電極ＶＨ１０１１ａを介して、誘電体層１１１Ｔの平板電極１１０１Ｇａに接続されている。
【０２９０】
コイル電極１００１Ｇｂの一方端は、ビア電極ＶＨ９１０ｂを介してコイル電極９０１Ｇｂの他方端に接続されている。コイル電極１００１Ｇｂは、当該一方端を始点としてコイル電極９０１Ｇｂと同じ方向に巻回する巻回形に形成されている。コイル電極１００１Ｇｂ，９０１Ｇｂとビア電極ＶＨ９１０ｂとにより、第２フィルタ回路の平衡側インダクタＬ４ｂが構成される。コイル電極１００１Ｇｂの他方端は、ビア電極ＶＨ１０１１ｂを介して、誘電体層１１１Ｔの平板電極１１０１Ｇｂに接続されている。
【０２９１】
誘電体層１１１Ｔには、外部端子に直接接続しない浮き電極であり、それぞれが所定の面積からなり、平面視して略四角形の平板電極１１０１Ｇａ，１１０１Ｇｂが形成されている。
【０２９２】
平板電極１１０１Ｇａは、積層体１００Ｇを平面視した第１フィルタ回路の第１、第２平衡端子Ｐｂａ１，Ｐｂａ２側の領域に形成されている。すなわち、平板電極１１０１Ｇａは、積層体１００Ｇ平面視して、コイル電極９０１Ｇａ，１００１Ｇａの形成領域と重なるように形成されている。平板電極１１０１Ｇａは、ビア電極ＶＨ１１１３ａを介して、誘電体層１１３Ｔの平板電極１３０１Ｇａに接続されている。
【０２９３】
平板電極１１０１Ｇｂは、積層体１００Ｇを平面視した第２フィルタ回路の第１、第２平衡端子Ｐｂｂ１，Ｐｂｂ２側の領域に形成されている。すなわち、平板電極１１０１Ｇｂは、積層体１００Ｇ平面視して、コイル電極９０１Ｇｂ，１００１Ｇｂの形成領域と重なるように形成されている。平板電極１１０１Ｇｂは、ビア電極ＶＨ１１１３ｂを介して、誘電体層１１３Ｔの平板電極１３０１Ｇｂに接続されている。
【０２９４】
誘電体層１１２Ｔには、それぞれが所定の面積からなり、平面視して略四角形の平板電極１２０１Ｇａ，１２０１Ｇｂ，１２０１Ｇｃ，１２０１Ｇｄが形成されている。
【０２９５】
平板電極１２０１Ｇａは、平板電極１１０１Ｇａと積層方向に沿って対向するように形成されている。平板電極１２０１Ｇａ，１１０１Ｇａと誘電体層１１１Ｔとにより、第１フィルタ回路のキャパシタＣ５ａが構成される。平板電極１２０１Ｇａは、第２側面の第１フィルタ回路の第２平衡端子Ｐｂａ２に接続されている。
【０２９６】
平板電極１２０１Ｇｂは、平板電極１１０１Ｇｂと積層方向に沿って対向するように形成されている。平板電極１２０１Ｇｂ，１１０１Ｇｂと誘電体層１１１Ｔとにより、第２フィルタ回路のキャパシタＣ５ｂが構成される。平板電極１２０１Ｇｂは、第２側面の第２フィルタ回路の第２平衡端子Ｐｂｂ２に接続されている。
【０２９７】
平板電極１２０１Ｇｃは、積層体１００Ｇを平面視した第１フィルタ回路の不平衡端子Ｐｕｎｂａ側の領域に形成されている。すなわち、平板電極１２０１Ｇｃは、積層体１００Ｇを平面視して、コイル電極７０１Ｇｃ，９０１Ｇｃの形成領域と重なるように形成されている。平板電極１２０１Ｇｃは、第１側面のグランド端子ＧＮＤに接続されている。
【０２９８】
平板電極１２０１Ｇｄは、積層体１００Ｇを平面視した第２フィルタ回路の不平衡端子Ｐｕｎｂｂ側の領域に形成されている。すなわち、平板電極１２０１Ｇｄは、積層体１００Ｇを平面視して、コイル電極７０１Ｇｄ，９０１Ｇｄの形成領域と重なるように形成されている。平板電極１２０１Ｇｄは、第１側面のグランド端子ＧＮＤに接続されている。
【０２９９】
誘電体層１１３Ｔには、それぞれが所定の面積からなり、平面視して略四角形の平板電極１３０１Ｇａ，１３０１Ｇｂ，１３０１Ｇｃ，１３０１Ｇｄが形成されている。
【０３００】
平板電極１３０１Ｇｃは、平板電極１２０１Ｇｃと積層方向に沿って対向するように、形成されている。平板電極１３０１Ｇｃ，１２０１Ｇｃと誘電体層１１２Ｔとにより、第１フィルタ回路の不平衡側キャパシタＣ１ａが構成される。平板電極１３０１Ｇｃは、第３側面の接続用電極Ｓｅａ２に接続されている。
【０３０１】
平板電極１３０１Ｇｄは、平板電極１２０１Ｇｄと積層方向に沿って対向するように、形成されている。平板電極１３０１Ｇｄ，１２０１Ｇｄと誘電体層１１２Ｔとにより、第２フィルタ回路の不平衡側キャパシタＣ１ｂが構成される。平板電極１３０１Ｇｄは、第４側面の接続用電極Ｓｅｂ２に接続されている。
【０３０２】
平板電極１３０１Ｇａは、平板電極１１０１Ｇａ，１２０１Ｇａと積層方向に沿って対向するように、形成されている。平板電極１３０１Ｇａは、外部端子に直接接続しない浮き電極である。平板電極１３０１Ｇａは、ビア電極ＶＨ１１１３ａを介して平板電極１１０１Ｇａに接続されている。
【０３０３】
平板電極１３０１Ｇｂは、平板電極１１０１Ｇｂ，１２０１Ｇｂと積層方向に沿って対向するように、形成されている。平板電極１３０１Ｇｂは、外部端子に直接接続しない浮き電極である。平板電極１３０１Ｇｂは、ビア電極ＶＨ１１１３ｂを介して平板電極１１０１Ｇｂに接続されている。
【０３０４】
誘電体層１１４Ｔには、それぞれが所定の面積からなり、平面視して略四角形の平板電極１４０１Ｇａ，１４０１Ｇｂ，１４０１Ｇｃ，１４０１Ｇｄが形成されている。
【０３０５】
平板電極１４０１Ｇａは、平板電極１３０１Ｇａと積層方向に沿って対向するように形成されている。平板電極１４０１Ｇａは、第３側面の接続用電極Ｓｅａ１に接続されている。平板電極１４０１Ｇａ，１３０１Ｇａ，１２０１Ｇａと誘電体層１１２Ｔ，１１３Ｔとにより、第１フィルタ回路の第２平衡側キャパシタＣ３ａが構成される。
【０３０６】
平板電極１４０１Ｇｂは、平板電極１３０１Ｇｂと積層方向に沿って対向するように形成されている。平板電極１４０１Ｇｂは、第４側面の接続用電極Ｓｅｂ１に接続されている。平板電極１４０１Ｇｂ，１３０１Ｇｂ，１２０１Ｇｂと誘電体層１１２Ｔ，１１３Ｔとにより、第２フィルタ回路の第２平衡側キャパシタＣ３ｂが構成される。
【０３０７】
平板電極１４０１Ｇｃは、平板電極１３０１Ｇｃと積層方向に沿って対向するように形成されている。平板電極１４０１Ｇｃは、第１側面の第１フィルタ回路の不平衡端子Ｐｕｎｂａに接続されている。
【０３０８】
平板電極１４０１Ｇｄは、平板電極１３０１Ｇｄと積層方向に沿って対向するように形成されている。平板電極１４０１Ｇｄ，１３０１Ｇｄと誘電体層１１３Ｔとにより、第２フィルタ回路のキャパシタＣ０ｂが構成される。平板電極１４０１Ｇｄは、第１側面の第２フィルタ回路の不平衡端子Ｐｕｎｂｂに接続されている。
【０３０９】
誘電体層１１５Ｔには、所定面積で平面視して略四角形の平板電極１５０１Ｇｃが形成されている。平板電極１５０１Ｇｃは、平板電極１４０１Ｇｃと積層方向に沿って対向するように形成されている。平板電極１５０１Ｇｃ，１４０１Ｇｃ，１３０１Ｇｃと誘電体層１１３Ｔ，１１４Ｔとにより、第１フィルタ回路のキャパシタＣ０ａが構成される。
【０３１０】
このように、本実施形態の構成であっても、上述の各実施形態と同様に、安定した位相バランスの積層型フィルタを実現することができる。さらに、不平衡端子と平衡端子にキャパシタが直列接続されることで、不平衡端子側および平衡端子側からの不要な直流信号の入力を抑制することができる。
【０３１１】
次に、第９の実施形態に係る積層型フィルタについて、図を参照して説明する。本実施形態の積層型フィルタ１０Ｈは、第５実施形態で示した積層型フィルタ１０Ｄと回路構成が同じであるので、回路構成の説明は省略する。
【０３１２】
図２２は本実施形態に係る積層型フィルタ１０Ｈの外観斜視図である。図２３は本実施形態に係る積層型フィルタ１０Ｈの分解斜視図である。
【０３１３】
第１フィルタ回路を構成する各回路素子と、第２フィルタ回路を構成する各回路素子とは、高周波的に結合しないように、積層体１００Ｈを平面視して個別の領域に形成されている。また、具体的な巻回形状は図２３に示すが、インダクタの巻回方向は、フィルタ回路同士で逆になっている。これにより、第１フィルタ回路と第２フィルタ回路との結合が抑制される。
【０３１４】
積層型フィルタ１０Ｈは、１０層の誘電体層１０１Ｔ−１１０Ｔを順次積層した積層体１００Ｈによって実現される。
【０３１５】
積層体１００Ｈは、図２２に示すように、外形形状が略直方体形状からなる。積層体１００Ｈの第１側面には、第１フィルタ回路の不平衡端子用の外部電極（以下、不平衡端子Ｐｕｎｂａと称する。）、グランド電極（以下、グランド端子ＧＮＤと称する。）、および第２フィルタ回路の不平衡端子用の外部電極（以下、不平衡端子Ｐｕｎｂｂと称する。）が、この順で配列形成されている。本実施形態では、第１側面に形成されているグランド接続端子ＧＮＤは一個である。
【０３１６】
前記第１側面に対向する積層体１００Ｈの第２側面には、第１フィルタ回路の第２平衡端子用の外部電極（以下、第２平衡端子Ｐｂａ２と称する。）、第２フィルタ回路の第２平衡端子用の外部電極（以下、第２平衡端子Ｐｂｂ２と称する。）が、ＮＣ端子を挟んで、この順で配列形成されている。この際、第１フィルタ回路の不平衡端子Ｐｕｎｂａと第２平衡端子Ｐｂａ２とが対向するように配置されている。
【０３１７】
第１側面および第２側面に直交し、第１フィルタ回路側となる第３側面には、第１フィルタ回路の第１平衡端子用の外部電極（以下、第１平衡端子Ｐｂａ１と称する。）が形成されている。第１側面および第２側面に直交し、第２フィルタ回路側となる第４側面には、第２フィルタ回路の第１平衡端子用の外部電極（以下、第１平衡端子Ｐｂｂ１と称する。）が形成されている。上述の各実施形態と同様に、以下の各誘電体層の説明では、内層電極との接続関係を除き、これら外部端子の形成位置および形状の説明は省略する。
【０３１８】
積層体１００Ｈの最上層となる誘電体層１０１Ｔには、上記外部端子の電極パターンのみが形成されている。なお、図示しないが、誘電体層１０１Ｔの天面、すなわち積層体１００Ｈの天面に、実装方向を定義するためのマーキング電極が形成されている。
【０３１９】
誘電体層１０２Ｔには、コイル電極２０１Ｈａ，２０１Ｈｂが形成されている。コイル電極２０１Ｈａは一方端が第２側面の第１フィルタ回路の第２平衡端子Ｐｂａ２に接続されている。コイル電極２０１Ｈａは平面視して、当該一方端を始点として、巻回形に形成されている。コイル電極２０１Ｈａの他方端は導電性のビア電極ＶＨ２３ａを介して、誘電体層１０３Ｔのコイル電極３０１Ｈａの一方端に接続されている。
【０３２０】
コイル電極２０１Ｈｂは一方端が第２側面の第２フィルタ回路の第２平衡端子Ｐｂｂ２に接続されている。コイル電極２０１Ｈｂは平面視して、当該一方端を始点として、巻回形に形成されている。コイル電極２０１Ｈｂの他方端は導電性のビア電極ＶＨ２３ｂを介して、誘電体層１０３Ｔのコイル電極３０１Ｈｂの一方端に接続されている。
【０３２１】
誘電体層１０３Ｔには、コイル電極３０１Ｈａ，３０１Ｈｂ，３０１Ｈｃ，３０１Ｈｄが形成されている。
【０３２２】
コイル電極３０１Ｈａは一方端がビア電極ＶＨ２３ａを介してコイル電極２０１Ｈａの他方端に接続されている。コイル電極３０１Ｈａは平面視して、当該一方端を始点として、コイル電極２０１Ｈａと同じ方向へ巻回する巻回形に形成されている。コイル電極３０１Ｈａの他方端は導電性のビア電極ＶＨ３４ａを介して、誘電体層１０４Ｔのコイル電極４０１Ｈａの一方端に接続されている。コイル電極３０１Ｈａと、コイル電極２０１Ｈａおよびビア電極ＶＨ２３ａとにより、第１フィルタ回路の平衡側インダクタＬ４ａが構成される。
【０３２３】
コイル電極３０１Ｈｂは一方端がビア電極ＶＨ２３ｂを介してコイル電極２０１Ｈｂの他方端に接続されている。コイル電極３０１Ｈｂは、平面視して、当該一方端を始点として、コイル電極２０１Ｈｂと同じ方向へ巻回する巻回形に形成されている。コイル電極３０１Ｈｂの他方端は導電性のビア電極ＶＨ３４ｂを介して、誘電体層１０４Ｔのコイル電極４０１Ｈｂの一方端に接続されている。コイル電極３０１Ｈｂと、コイル電極２０１Ｈｂおよびビア電極ＶＨ２３ｂとにより、第２フィルタ回路の平衡側インダクタＬ４ｂが構成される。
【０３２４】
コイル電極３０１Ｈｃは、一方端が第１側面のグランド端子ＧＮＤに接続されている。コイル電極３０１Ｈｃは、平面視して、当該一方端を始点として巻回形に形成されている。コイル電極３０１Ｈｃの他方端は導電性のビア電極ＶＨ３５ａを介して、誘電体層１０５Ｔのコイル電極５０１Ｈｃの一方端に接続されている。
【０３２５】
コイル電極３０１Ｈｄは、一方端が第１側面のグランド端子ＧＮＤに接続されている。コイル電極３０１Ｈｄは、平面視して、当該一方端を始点として巻回形に形成されている。コイル電極３０１Ｈｄの他方端は導電性のビア電極ＶＨ３５ｂを介して、誘電体層１０５Ｔのコイル電極５０１Ｈｄの一方端に接続されている。なお、コイル電極３０１Ｈｃ，３０１Ｈｄの一方端は、共通グランド接続用電極により、一個のグランド端子ＧＮＤへ接続されている。
【０３２６】
誘電体層１０４Ｔには、コイル電極４０１Ｈａが形成されている。コイル電極４０１Ｈａの一方端は、ビア電極ＶＨ３４ａを介して、コイル電極３０１Ｈａの他方端に接続されている。コイル電極４０１Ｈａは、その少なくとも一部がコイル電極３０１Ｈｃと平面視して重なり合うように、すなわち、コイル電極３０１Ｈｃと電磁界結合するように、巻回形状に形成されている。コイル電極４０１Ｈａの他方端は、ビア電極ＶＨ４５ａを介して、誘電体層１０５Ｔのコイル電極５０１Ｈａの一方端に接続されている。このコイル電極４０１Ｈａにより、第１フィルタ回路の平衡側インダクタＬ２ａが構成される。
【０３２７】
コイル電極４０１Ｈｂの一方端は、ビア電極ＶＨ３４ｂを介して、コイル電極３０１Ｈｂの他方端に接続されている。コイル電極４０１Ｈｂは、その少なくとも一部がコイル電極３０１Ｈｄと平面視して重なり合うように、すなわち、コイル電極３０１Ｈｄと電磁界結合するように、巻回形状に形成されている。コイル電極４０１Ｈｂの他方端は、ビア電極ＶＨ４５ｂを介して、誘電体層１０５Ｔのコイル電極５０１Ｈｂの一方端に接続されている。このコイル電極４０１Ｈｂにより、第２フィルタ回路の平衡側インダクタＬ２ｂが構成される。
【０３２８】
また、コイル電極４０１Ｈａ，４０１Ｈｂは、巻回形の所定位置が共通グランド接続用電極により第１側面のグランド端子ＧＮＤに接続されている。これにより、平衡側インダクタＬ２ａ，Ｌ２ｂの所定点がグランド接続される。
【０３２９】
誘電体層１０５Ｔには、コイル電極５０１Ｈａ，５０１Ｈｂ，５０１Ｈｃ，５０１Ｈｄが形成されている。
【０３３０】
コイル電極５０１Ｈａの一方端は、ビア電極ＶＨ４５ａを介してコイル電極４０１Ｈａに接続されている。コイル電極５０１Ｈａは、平面視して、当該一方端を始点する巻回形に形成されている。この際、コイル電極５０１Ｈａは、積層体１００Ｈを平面視して第１フィルタ回路の第１、第２平衡端子Ｐｂａ１，Ｐｂａ２側の領域、すなわち、上述のコイル電極２０１Ｈａ，３０１Ｈａと重なり合うような領域に形成されている。コイル電極５０１Ｈａの他方端は、ビア電極ＶＨ５６ａを介して、誘電体層１０６Ｔのコイル電極６０１Ｈａの一方端に接続されている。
【０３３１】
コイル電極５０１Ｈｂの一方端は、ビア電極ＶＨ４５ｂを介してコイル電極４０１Ｈｂに接続されている。コイル電極５０１Ｈｂは、平面視して、当該一方端を始点する巻回形に形成されている。この際、コイル電極５０１Ｈｂは、積層体１００Ｈを平面視して第２フィルタ回路の第１、第２平衡端子Ｐｂｂ１，Ｐｂｂ２側の領域、すなわち、上述のコイル電極２０１Ｈｂ，３０１Ｈｂと重なり合うような領域に形成されている。コイル電極５０１Ｈｂの他方端は、ビア電極ＶＨ５６ｂを介して、誘電体層１０６Ｔのコイル電極６０１Ｈｂの一方端に接続されている。
【０３３２】
コイル電極５０１Ｈｃの一方端は、ビア電極ＶＨ３５ａを介してコイル電極３０１Ｈｃに接続されている。コイル電極５０１Ｈｃは、平面視して、当該一方端を始点としてコイル電極３０１Ｈｃと同じ方向に巻回する巻回形に形成されている。この際、コイル電極５０１Ｈｃも、コイル電極４０１Ｈａと電磁界結合するように、積層体を平面視してコイル電極４０１Ｈａと少なくとも一部が重なる位置に形成されている。コイル電極５０１Ｈｃの他方端は、第１フィルタ回路の不平衡端子Ｐｕｎｂａに接続されている。コイル電極５０１Ｈｃと、コイル電極３０１Ｈｃおよびビア電極ＶＨ３５ａにより、第１フィルタ回路の不平衡側インダクタＬ１ａが構成される。
【０３３３】
コイル電極５０１Ｈｄの一方端は、ビア電極ＶＨ３５ｂを介してコイル電極３０１Ｈｄに接続されている。コイル電極５０１Ｈｄは、平面視して、当該一方端を始点としてコイル電極３０１Ｈｄと同じ方向に巻回する巻回形に形成されている。この際、コイル電極５０１Ｈｄも、コイル電極４０１Ｈｂと電磁界結合するように、積層体を平面視してコイル電極４０１Ｈｂと少なくとも一部が重なる位置に形成されている。コイル電極５０１Ｈｄの他方端は、第２フィルタ回路の不平衡端子Ｐｕｎｂｂに接続されている。コイル電極５０１Ｈｄと、コイル電極３０１Ｈｄおよびビア電極ＶＨ３５ｂとにより、第２フィルタ回路の不平衡側インダクタＬ１ｂが構成される。
【０３３４】
誘電体層１０６Ｔには、コイル電極６０１Ｈａ，６０１Ｈｂが形成されている。コイル電極６０１Ｈａの一方端は、ビア電極ＶＨ５６ａを介してコイル電極５０１Ｈａの他方端に接続されている。コイル電極６０１Ｈａは、平面視して、当該一方端を始点としてコイル電極５０１Ｈａと同じ方向に巻回する巻回形状に形成されている。コイル電極６０１Ｈａと、コイル電極５０１Ｈａおよびビア電極ＶＨ５６ａとにより、第１フィルタ回路の平衡側インダクタＬ３ａが構成される。
【０３３５】
コイル電極６０１Ｈｂの一方端は、ビア電極ＶＨ５６ｂを介してコイル電極５０１Ｈｂの他方端に接続されている。コイル電極６０１Ｈｂは、平面視して、当該一方端を始点としてコイル電極５０１Ｈｂと同じ方向に巻回する巻回形状に形成されている。コイル電極６０１Ｈｂと、コイル電極５０１Ｈｂおよびビア電極ＶＨ５６ｂとにより、第２フィルタ回路の平衡側インダクタＬ３ｂが構成される。
【０３３６】
誘電体層１０７Ｔには、それぞれが所定の面積からなり、平面視して略四角形の平板電極７０１Ｈａ，７０１Ｈｂ、７０１Ｈｃ，７０１Ｈｄが形成されている。
【０３３７】
平板電極７０１Ｈｃは、積層体１００Ｈを平面視した第１フィルタ回路の不平衡端子Ｐｕｎｂａ側の領域に形成されている。すなわち、平板電極７０１Ｈｃは、積層体１００Ｈを平面視して、コイル電極３０１Ｈｃ，５０１Ｈｃの形成領域と重なるように形成されている。平板電極７０１Ｈｃは、第１側面のグランド端子ＧＮＤに接続されている。
【０３３８】
平板電極７０１Ｈｄは、積層体１００Ｈを平面視した第２フィルタ回路の不平衡端子Ｐｕｎｂｂ側の領域に形成されている。すなわち、平板電極７０１Ｈｄは、積層体１００Ｈを平面視して、コイル電極３０１Ｈｄ，５０１Ｈｄの形成領域と重なるように形成されている。平板電極７０１Ｈｄは、第１側面のグランド端子ＧＮＤに接続されている。
【０３３９】
この際、平板電極７０１Ｈｃ，７０１Ｈｄは、共通グランド接続用電極により、一個のグランド端子ＧＮＤへ接続されている。
【０３４０】
平板電極７０１Ｈａは、積層体１００Ｈを平面視した第１フィルタ回路の第２平衡端子Ｐｂａ２側の領域に形成されている。平板電極７０１Ｈａは、グランド端子ＧＮＤを含む外部端子に接続しない浮き電極である。
【０３４１】
平板電極７０１Ｈｂは、積層体１００Ｈを平面視した第２フィルタ回路の第２平衡端子Ｐｂｂ２側の領域に形成されている。平板電極７０１Ｈｂは、グランド端子ＧＮＤを含む外部端子に接続しない浮き電極である。
【０３４２】
誘電体層１０８Ｔには、それぞれが所定の面積からなり、平面視して略四角形の平板電極８０１Ｈａ，８０１Ｈｂ，８０１Ｈｃ，８０１Ｈｄ，８０１Ｈｅ，８０１Ｈｆが形成されている。
【０３４３】
平板電極８０１Ｈｅは、積層体１００Ｈを平面視して、平板電極７０１Ｈｃと対向するように形成されている。これら平板電極８０１Ｈｅ，７０１Ｈｃおよび誘電体層１０７Ｔにより、第１フィルタ回路の不平衡側キャパシタＣ１ａが構成される。平板電極８０１Ｈｅは、第１側面の第１フィルタ回路の不平衡端子Ｐｕｎｂａに接続されている。
【０３４４】
平板電極８０１Ｈｆは、積層体１００Ｈを平面視して、平板電極７０１Ｈｄと積層方向に沿って対向するように形成されている。これら平板電極８０１Ｈｆ，７０１Ｈｄおよび誘電体層１０７Ｔにより、第２フィルタ回路の不平衡側キャパシタＣ１ｂが構成される。平板電極８０１Ｈｆは、第１側面の第２フィルタ回路の不平衡端子Ｐｕｎｂｂに接続されている。
【０３４５】
平板電極８０１Ｈａ，８０１Ｈｃは、それぞれ平板電極７０１Ｈａと積層方向に沿って対向するように形成されている。平板電極８０１Ｈａは第２側面の第１フィルタの第２平衡端子Ｐｂａ２へ接続されており、平板電極８０１Ｈｃは第３側面の第１フィルタの第１平衡端子Ｐｂａ１へ接続されている。
【０３４６】
平板電極８０１Ｈｂ，８０１Ｈｄは、それぞれ平板電極７０１Ｈｂと積層方向に沿って対向するように形成されている。平板電極８０１Ｈｂは第２側面の第２フィルタの第２平衡端子Ｐｂｂ２へ接続されており、平板電極８０１Ｈｄは第４側面の第２フィルタの第１平衡端子Ｐｂｂ１へ接続されている。
【０３４７】
誘電体層１０９Ｔには、それぞれが所定の面積からなり、平面視して略四角形の平板電極９０１Ｈａ，９０１Ｈｂが形成されている。平板電極９０１Ｈａは、平板電極８０１Ｈａ，８０１Ｈｃと積層方向に沿って対向するように形成されている。これら平板電極９０１Ｈａ，８０１Ｈａ，７０１Ｈａと誘電体層１０７Ｔ，１０８Ｔとにより、第１フィルタ回路の第２平衡側キャパシタＣ３ａが構成される。これら平板電極９０１Ｈａ，８０１Ｈｃ，７０１Ｈａと誘電体層１０７Ｔ，１０８Ｔとにより、第１フィルタ回路の第１平衡側キャパシタＣ２ａが構成される。
【０３４８】
平板電極９０１Ｈｂは、平板電極８０１Ｈｂ，８０１Ｈｄと積層方向に沿って対向するように形成されている。
【０３４９】
誘電体層１１０Ｔには、それぞれが所定の面積からなり、平面視して略四角形の平板電極１００１Ｈｂ，１００１Ｈｄが形成されている。平板電極１００１Ｈｂ，１００１Ｈｄは、それぞれ平板電極９０１Ｈｂと積層方向に沿って対向するように形成されている。
【０３５０】
平板電極７０１Ｈｂ，８０１Ｈｂ，９０１Ｈｂ，１００１Ｈｂと誘電体層１０７Ｔ，１０８Ｔ，１０９Ｔとにより第２フィルタ回路の第２平衡側キャパシタＣ３ｂが構成される。平板電極７０１Ｈｂ，８０１Ｈｄ，９０１Ｈｂ，１００１Ｈｄと誘電体層１０７Ｔ，１０８Ｔ，１０９Ｔとにより第２フィルタ回路の第１平衡側キャパシタＣ２ｂが構成される。
【０３５１】
平板電極１００１Ｈｂは、第２側面の第２フィルタ回路の第２平衡端子Ｐｂｂ２に接続されている。平板電極１００１Ｈｄは、第２側面の第２フィルタ回路の第１平衡端子Ｐｂｂ１に接続されている。
【０３５２】
以上のように、本実施形態の構成を用いても、上述の各実施形態と同様に、安定したバランス特性の積層型フィルタを実現することができる。さらに、グランド端子ＧＮＤが第１フィルタ回路と第２フィルタ回路とで共用され、積層体１００Ｈの側面に一個だけで形成されているので、積層体１００Ｈをより小型化することができる。
【０３５３】
なお、上述の各実施形態の説明では、平衡側キャパシタＣ２，Ｃ３のキャパシタンス（容量）比を特に示していないが、積層型フィルタを構成する他の回路素子や回路パターンに応じて、キャパシタンス比は適宜設定することができる。この場合、平衡側キャパシタＣ２，Ｃ３を構成する平板電極の対向面積をそれぞれ変化させればよい。
【０３５４】
また、上述の各実施形態で示した積層数は、仕様等に応じて適宜設定することができる。
【符号の説明】
【０３５５】
１０，１０Ａ，１０Ｂ，１０Ｃ，１０Ｄ，１０Ｅ，１０Ｆ，１０Ｇ，１０Ｈ：積層型フィルタ、１００，１００Ｂ，１００Ｃ，１００Ｄ，１００Ｅ，１００Ｆ，１００Ｇ，１００Ｈ：積層体、１０１−１１５：誘電体層、
２０１，３０１，４０１，４０２，２０１Ａ，２０２Ａ，３０１Ａ，４０１Ａ，４０２Ａ、５０１Ｂ，６０１Ｂ，６０２Ｂ，７０１Ｂ，８０１Ｂ，８０２Ｂ，９０１Ｂ，５０１Ｃ，６０１Ｃ，６０２Ｃ，７０１Ｃ，８０１Ｃ，８０２Ｃ，９０１Ｃ、２０１Ｄａ，２０１Ｄｂ，３０１Ｄａ，３０１Ｄｂ，３０１Ｄｃ，３０１Ｄｄ，４０１Ｄａ，４０１Ｄｂ，５０１Ｄａ，５０１Ｄｂ，５０１Ｄｃ，５０１Ｄｄ，６０１Ｄａ，６０１Ｄｂ、２０１Ｅａ，２０１Ｅｂ，３０１Ｅａ，３０１Ｅｂ，３０１Ｅｃ，３０１Ｅｄ，４０１Ｅａ，４０１Ｅｂ，５０１Ｅａ，５０１Ｅｂ，５０１Ｅｃ，５０１Ｅｄ，６０１Ｅａ，６０１Ｅｂ，５０１Ｆａ，６０１Ｆａ，６０１Ｆｂ，７０１Ｆａ，７０１Ｆｂ，７０１Ｆｃ，７０１Ｆｄ，８０１Ｆａ，８０１Ｆｂ，９０１Ｆａ，９０１Ｆｂ，９０１Ｆｃ，９０１Ｆｄ，１００１Ｆａ，１００１Ｆｂ，１１０１Ｆａ，６０１Ｇａ，６０１Ｇｂ，７０１Ｇａ，７０１Ｇｂ，７０１Ｇｃ，７０１Ｇｄ，８０１Ｇａ，８０１Ｇｂ，９０１Ｇａ，９０１Ｇｂ，９０１Ｇｃ，９０１Ｇｄ，１００１Ｇａ，１００１Ｇｂ，２０１Ｈａ，２０１Ｈｂ，３０１Ｈａ，３０１Ｈｂ，３０１Ｈｃ，３０１Ｈｄ，４０１Ｈａ，４０１Ｈｂ，５０１Ｈａ，５０１Ｈｂ，５０１Ｈｃ，５０１Ｈｄ，６０１Ｈａ，６０１Ｈｂ：コイル電極、
５０１，６０１，６０２，７０１，７０２，６０１Ａ，７０１Ａ，７０２Ａ，８０１Ａ，８０２Ａ，２０１Ｂ，３０１Ｂ，１１０１Ｂ，１２０１Ｂ，１２０２Ｂ，１３０１Ｂ，２０１Ｃ，３０１Ｃ，１００１Ｃ，１１０１Ｃ，１２０１Ｃ，１２０２Ｃ，１３０１Ｃ、７０１Ｄａ，７０１Ｄｂ，７０１Ｄｃ，７０１Ｄｄ，８０１Ｄａ，８０１Ｄｂ，８０１Ｄｃ，８０１Ｄｄ，８０１Ｄｅ，８０１Ｄｆ，９０１Ｄａ，９０１Ｄｂ，１００１Ｄａ，１００１Ｄｂ、７０１Ｅａ，８０１Ｅａ，８０１，Ｅｂ８０１Ｅｃ，９０１Ｅａ，９０１Ｅｂ，９０１Ｅｃ，９０１Ｅｄ，９０１Ｅｅ，９０１Ｅｆ，１００１Ｅａ，１００１Ｅｂ，１１０１Ｅａ，１１０１Ｅｂ、２０１Ｆａ，３０１Ｆａ，３０１Ｆｂ，４０１Ｆａ，４０１Ｆｂ，１２０１Ｆａ，１２０１Ｆｂ，１２０１Ｆｃ，１２０１Ｆｄ，１３０１Ｆａ，１３０１Ｆｂ，１３０１Ｆｃ，１３０１Ｆｄ，１４０１Ｆａ，１４０１Ｆｃ，１４０１Ｆｄ，１５０１Ｆｃ，２０１Ｇａ，２０１Ｇｂ，３０１Ｇａ，３０１Ｇｂ，４０１Ｇａ，４０１Ｇｂ，１１０１Ｇａ，１１０１Ｇｂ，１２０１Ｇａ，１２０１Ｇｂ，１２０１Ｇｃ，１２０１Ｇｄ，１３０１Ｇａ，１３０１Ｇｂ，１３０１Ｇｃ，１３０１Ｇｄ，１４０１Ｇａ，１４０１Ｇｂ，１４０１Ｇｃ，１４０１Ｇｄ，１５０１Ｇｃ、７０１Ｈａ，７０１Ｈｂ，７０１Ｈｃ，７０１Ｈｄ，８０１Ｈａ，８０１Ｈｂ，８０１Ｈｃ，８０１Ｈｄ，８０１Ｈｆ，８０１Ｈｆ，９０１Ｈａ，９０１Ｈｂ，１００１Ｈｂ，１００１Ｈｄ：平板電極、
Ｐｕｎｂ，Ｐｕｎｂａ，Ｐｕｎｂｂ：不平衡端子、Ｐｂ１，Ｐｂ２，Ｐｂａ１，Ｐｂａ２，Ｐｂｂ１，Ｐｂｂ２：平衡端子、ＧＮＤ：グランド端子、Ｓｅ，Ｓｅａ１，Ｓｅａ２，Ｓｅｂ１，Ｓｅｂ２：接続用電極、
ＶＨ２３，ＶＨ２４，ＶＨ３４，ＶＨ４５、ＶＨ５６，ＶＨ６７，ＶＨ６８，ＶＨ７８，ＶＨ７１０，ＶＨ８９，ＶＨ２３ａ，ＶＨ２３ｂ，ＶＨ３４ａ，ＶＨ３４ｂ，ＶＨ３５ａ，ＶＨ３５ｂ，ＶＨ４５ａ，ＶＨ４５ｂ，ＶＨ４７ａ，ＶＨ４７ｂ，ＶＨ５６ａ，ＶＨ５６ｂ，ＶＨ６７ａ，ＶＨ６７ｂ，ＶＨ７８ａ，ＶＨ７８ｂ，ＶＨ７９ａ，ＶＨ７９ｂ，ＶＨ８９ａ，ＶＨ８９ｂ，ＶＨ９１０ａ，ＶＨ９１０ｂ，ＶＨ１０１１ａ，ＶＨ１０１１ｂ，ＶＨ１１１３ａ，ＶＨ１１１３ｂ：ビア電極、
【図１】
0005569499.tif 000002
【図２】
0005569499.tif 000003
【図３】
0005569499.tif 000004
【図４】
0005569499.tif 000005
【図５】
0005569499.tif 000006
【図６】
0005569499.tif 000007
【図７】
0005569499.tif 000008
【図８】
0005569499.tif 000009
【図９】
0005569499.tif 000010
【図１０】
0005569499.tif 000011
【図１１】
0005569499.tif 000012
【図１２】
0005569499.tif 000013
【図１３】
0005569499.tif 000014
【図１４】
0005569499.tif 000015
【図１５】
0005569499.tif 000016
【図１６】
0005569499.tif 000017
【図１７】
0005569499.tif 000018
【図１８】
0005569499.tif 000019
【図１９】
0005569499.tif 000020
【図２０】
0005569499.tif 000021
【図２１】
0005569499.tif 000022
【図２２】
0005569499.tif 000023
【図２３】
0005569499.tif 000024